(57)【要約】無線通信システムにおける割当に関する方法および装置が説明される。移動体は識別子とマスク値を、例えば状態遷移メッセージの部分として割当られる。移動体は、割当メッセージに含まれる割当、例えばトラヒックチャネル割当メッセージ、がその無線端末に向けられているかどうかを決定する際に、割当られた識別子および／または割当られたマスク値を用いる。割当られたスロット、割当られたセグメント、および／またはマスク値の間の予め定められた関連づけが、制御信号のオーバヘッドを制限するために利用される。セグメントの異なるグループがマスク値の関数として異なる無線端末への割当のために利用可能である。異なる形式の割当メッセージは割当を搬送するために異なる量の情報ビットを用いる。いくつかの形式の割当は無線端末識別子を用い、一方他の形式の割当は無線端末識別子およびマスク識別子を用いる。マスク識別子、例えば１ビット、はシステムで用いられる潜在的マスクのサブセット間の選択を可能とする。  【選択図】      図６Ａ
2009544255.tif 000002
【特許請求の範囲】
【請求項１】
基地局を動作させる方法であって、
基地局割当無線端末識別子および情報ビットの第１の数で表される対応マスク値を無線端末へ伝達することと、
前記無線端末識別子およびマスク識別子の値とを含む第１の形式の割当メッセージを前記無線端末に伝達することとを含む方法。
【請求項２】
前記マスク識別子の値が、情報ビットの第２の数で表され、前記第２の数は前記第１の数より小さい、請求項１に記載の方法。
【請求項３】
前記無線端末識別子を含むがマスク識別子の値は含まない第２の形式の割当メッセージを前記無線端末に伝達することをさらに含む、請求項１に記載の方法。
【請求項４】
前記第１の形式の割当メッセージが、前記第２の形式の割当メッセージより低い電力レベルで送信される、請求項３に記載の方法。
【請求項５】
前記第１の形式の割当メッセージが、複数のトラヒックチャネルセグメントに対する複数の割当を搬送し、前記複数の割当の１つは前記無線端末識別子および前記マスク識別子の値によって搬送され、かつ、前記第２の形式の割当メッセージが、単一のトラヒックチャネルセグメントに対する割当を搬送する、請求項３に記載の方法。
【請求項６】
前記第１および第２の形式の割当メッセージが、トラヒックチャネル割当メッセージである、請求項３に記載の方法。
【請求項７】
前記マスク値が前記無線端末に割当られるかもしれない反復トラヒックチャネル構造における潜在的トラヒックチャネルセグメントを識別する、請求項１に記載の方法。
【請求項８】
前記マスク値が第１の予め定められたパターンに合致する場合、反復トラヒックチャネル構造内の１セットのトラヒックチャネルセグメントからの任意のトラヒックチャネルセグメントが無線端末に割当られるかもしれなく、かつ、前記マスク値が第２の予め定められたパターンに合致する場合、トラヒックチャネルセグメントの前記セットの第１の予め定められたサブセットが前記無線端末に割当られるかもしれなく、かつ、前記マスクが第３の予め定められたパターンに合致する場合、トラヒックチャネルセグメントの前記セットの第２の予め定められたサブセットが前記無線端末に割当られるかもしれない、請求項７に記載の方法。
【請求項９】
前記第１の予め定められたサブセットおよび前記第２の予め定められたサブセットが部分的にオーバラップしている、請求項８に記載の方法。
【請求項１０】
前記マスク値が第４の予め定められたパターンに合致する場合、トラヒックチャネルセグメントの前記セットの第３の予め定められたサブセットが前記無線端末に割当られるかもしれない方法であって、前記第３の予め定められたサブセットは前記第１および第２の予め定められたサブセットと部分的にオーバラップしている、請求項８に記載の方法。
【請求項１１】
前記マスク識別子の値が、単一情報ビットによって表され、前記単一のビットは割当に関係づけられるかもしれない２つの潜在的マスク値の間を区別する、請求項１に記載の方法。
【請求項１２】
同じ基地局割当無線端末識別子および異なる対応マスク値を第２の無線端末に伝達することをさらに含む方法であって、前記無線端末および前記第２の無線端末は、併行するセグメント割当復元識別動作のために用いられるように同じ基地局割当無線端末識別子を割当られる、請求項１に記載の方法。
【請求項１３】
無線端末に向けられるメッセージ情報を生成するための無線端末制御メッセージ生成モジュールであって、前記メッセージ情報は基地局割当無線端末識別子および対応マスク値を含む、モジュールと、
前記無線端末識別子とマスク識別子の値を含む第１の形式の割当メッセージを生成するための第１の形式の割当メッセージ生成モジュールと、
前記無線端末制御メッセージ情報および前記第１の形式の割当メッセージを送信するための送信機とを含む基地局。
【請求項１４】
前記マスク値が情報ビットの第１の数によって表され、かつ、
前記マスク識別子の値が、情報ビットの第２の数で表され、前記第２の数は前記第１の数より小さい、請求項１３に記載の基地局。
【請求項１５】
前記無線端末識別子を含むがマスク識別子の値を含まない第２の形式の割当メッセージを生成するための第２の形式の割当メッセージ生成モジュールをさらに含む、請求項１３に記載の基地局。
【請求項１６】
前記第１の形式の割当メッセージが、前記第２の形式の割当メッセージより低い電力レベルで送信されるように、前記第１の形式の割当メッセージおよび前記第２の形式の割当メッセージの相対的送信電力レベルを制御するための電力レベル制御モジュールをさらに含む、請求項１５に記載の基地局。
【請求項１７】
前記第１の形式の割当メッセージが、複数のトラヒックチャネルセグメントに対する複数の割当を搬送し、前記複数の割当の１つは前記無線端末識別子および前記マスク識別子の値によって搬送され、かつ、前記第２の形式の割当メッセージが、単一のトラヒックチャネルセグメントに対する割当を搬送する、請求項１５に記載の基地局。
【請求項１８】
前記第１および第２の形式の割当メッセージが、トラヒックチャネル割当メッセージである、請求項１５に記載の基地局。
【請求項１９】
反復トラヒックチャネル構造を定義する格納されたトラヒックチャネル構造情報をさらに含む基地局であって、
前記マスク値が前記無線端末に割当られるかもしれない前記反復トラヒックチャネル構造における潜在的トラヒックチャネルセグメントを識別する、請求項１３に記載の基地局。
【請求項２０】
前記マスク値が第１の予め定められたパターンに合致する場合、反復トラヒックチャネル構造内の１セットのトラヒックチャネルセグメントからの任意のトラヒックチャネルセグメントが無線端末に割当られるかもしれなく、かつ、前記マスク値が第２の予め定められたパターンに合致する場合、トラヒックチャネルセグメントの前記セットの第１の予め定められたサブセットが前記無線端末に割当られるかもしれなく、かつ、前記マスクが第３の予め定められたパターンに合致する場合、トラヒックチャネルセグメントの前記セットの第２の予め定められたサブセットが前記無線端末に割当られるかもしれない、請求項１９に記載の基地局。
【請求項２１】
前記第１の予め定められたサブセットおよび前記第２の予め定められたサブセットが部分的にオーバラップしている、請求項２０に記載の基地局。
【請求項２２】
前記マスク値が第４の予め定められたパターンに合致する場合、トラヒックチャネルセグメントの前記セットの第３の予め定められたサブセットが前記無線端末に割当られるかもしれない基地局であって、前記第３の予め定められたサブセットは前記第１および第２の予め定められたサブセットと部分的にオーバラップしている、請求項２０に記載の基地局。
【請求項２３】
前記マスク識別子の値が、単一情報ビットによって表され、前記単一ビットは割当に関係づけられるかもしれない２つの潜在的マスク値の間を区別する、請求項１３に記載の基地局。
【請求項２４】
前記無線端末制御メッセージ生成モジュールが、同じ基地局割当無線端末識別子および異なる対応マスク値を含む第２の無線端末に向けられるメッセージ情報をさらに生成する基地局であって、前記無線端末および前記第２の無線端末は、併行するセグメント割当復元識別動作のために用いられるように同じ基地局割当無線端末識別子を割当られる、請求項１３に記載の基地局。
【請求項２５】
無線端末に向けられたメッセージ情報を生成するための手段であって、前記メッセージ情報は基地局割当無線端末識別子および対応マスク値を含む手段と、
前記無線端末識別子とマスク識別子の値を含む第１の形式の割当メッセージを生成するための第１の形式の割当メッセージ生成手段と、
前記無線端末制御メッセージ情報および前記第１の形式の割当メッセージを送信するための手段とを含む基地局。
【請求項２６】
前記マスク値が情報ビットの第１の数によって表され、かつ、
前記マスク識別子の値が、情報ビットの第２の数で表され、前記第２の数は前記第１の数より小さい、請求項２５に記載の基地局。
【請求項２７】
前記無線端末識別子を含むがマスク識別子の値を含まない第２の形式の割当メッセージを生成するための第２の形式の割当メッセージ生成手段をさらに含む、請求項２５に記載の基地局。
【請求項２８】
前記第１の形式の割当メッセージが、前記第２の形式の割当メッセージより低い電力レベルで送信されるように、前記第１の形式の割当メッセージおよび前記第２の形式の割当メッセージの相対的送信電力レベルを制御するための電力レベル制御手段をさらに含む、請求項２７に記載の基地局。
【請求項２９】
前記第１の形式の割当メッセージが、複数のトラヒックチャネルセグメントに対する複数の割当を搬送し、前記複数の割当の１つは前記無線端末識別子および前記マスク識別子の値によって搬送され、かつ、前記第２の形式の割当メッセージが、単一のトラヒックチャネルセグメントに対する割当を搬送する、請求項２７に記載の基地局。
【請求項３０】
前記第１および第２の形式の割当メッセージが、トラヒックチャネル割当メッセージである、請求項２７に記載の基地局。
【請求項３１】
反復トラヒックチャネル構造を定義するトラヒックチャネル構造情報を格納するための手段をさらに含み、かつ、
前記マスク値が、前記無線端末に割当られるかもしれない反復トラヒックチャネル構造における潜在的トラヒックチャネルセグメントを識別する、請求項２５に記載の基地局。
【請求項３２】
基地局を動作させる方法を実施するための機械実行可能な命令を具体化する計算機可読媒体であって、前記方法が、
基地局割当無線端末識別子および情報ビットの第１の数で表される対応マスク値を無線端末へ伝達することと、
前記無線端末識別子およびマスク識別子の値を含む第１の形式の割当メッセージを前記無線端末へ伝達することとを含む、計算機可読媒体。
【請求項３３】
前記マスク識別子の値が、情報ビットの第２の数によって表され、前記第２の数は前記前記第１の数より小さい、請求項３２に記載の計算機可読媒体。
【請求項３４】
前記無線端末識別子を含むがマスク識別子の値を含まない第２の形式の割当メッセージを前記無線端末に伝達する、付加的ステップを実行するように基地局を制御するための機械実行可能な命令をさらに含む、請求項３２に記載の計算機可読媒体。
【請求項３５】
前記第１の形式の割当メッセージが、前記第２の形式の割当メッセージより低い電力レベルで送信される、請求項３４に記載の計算機可読媒体。
【請求項３６】
前記第１の形式の割当メッセージが、複数のトラヒックチャネルセグメントに対する複数の割当を搬送し、前記複数の割当の１つは前記無線端末識別子および前記マスク識別子の値によって搬送され、かつ、前記第２の形式の割当メッセージが、単一のトラヒックチャネルセグメントに対する割当を搬送する、請求項３４に記載の計算機可読媒体。
【請求項３７】
前記第１および第２の形式の割当メッセージが、トラヒックチャネル割当メッセージである請求項３４に記載の計算機可読媒体。
【請求項３８】
前記マスク値が前記無線端末に割当られるかもしれない反復トラヒックチャネル構造における潜在的トラヒックチャネルセグメントを識別する、請求項３２に記載の計算機可読媒体。
【請求項３９】
第１の値の基地局割当無線端末識別子および情報ビットの第１の数で表される対応マスク値を基地局から受信することと、
無線端末識別子およびマスク識別子の値を含む第１の形式の割当メッセージを前記基地局から受信することとを含む、無線端末を動作させる方法。
【請求項４０】
前記マスク識別子の値が、第２の数によって表され、前記第２の数は情報ビットの前記第１の数より小さい、請求項３９に記載の方法。
【請求項４１】
前記受信された第１の形式の割当メッセージから割当が無線端末に向けられているか否かを識別することをさらに含む、請求項３９に記載の方法。
【請求項４２】
前記受信マスク値が複数の予め定められたマスク値の１セットの１つであるとき、前記割当が前記無線端末に向けられているか否かを識別する前記ステップが、前記受信された基地局割当無線端末識別子の値が前記受信割当メッセージ内の前記無線端末識別子に合致するかどうかを決定することと、前記受信マスク識別子の値が前記受信マスク値を識別するかどうかを決定することとを含む、請求項３９に記載の方法。
【請求項４３】
前記マスク値が、複数の予め定められたマスク値の前記セットと排他的である第１の予め定められたマスク値であるとき、前記割当が前記無線端末に向けられているか否かを識別する前記ステップが、前記受信された基地局割当無線端末識別子の値が前記受信割当メッセージ内の前記無線端末識別子に合致するかどうかを決定することを含む方法であって、前記決定は前記割当メッセージ内で受信された前記マスク識別子の値の使用を必要としない、請求項３９に記載の方法。
【請求項４４】
前記無線端末識別子を含むがマスク識別子の値を含まない第２の形式の割当メッセージを受信することと、
前記第２の形式の割当メッセージが前記無線端末に向けられていることを識別することとをさらに含む、請求項４１に記載の方法。
【請求項４５】
無線端末が、前記受信マスク値の関数として受信する割当メッセージのサブセットを決定する、請求項３９に記載の方法。
【請求項４６】
無線端末が、前記受信マスク値の関数として処理する割当メッセージのサブセットを決定する、請求項３９に記載の方法。
【請求項４７】
前記受信マスク値が第１の予め定められたパターンに合致する場合、反復トラヒックチャネル構造内の１セットのトラヒックチャネルセグメントからの任意のトラヒックチャネルセグメントが無線端末に割当られるかもしれなく、かつ、前記マスク値が第２の予め定められたパターンに合致する場合、トラヒックチャネルセグメントの前記セットの第１の予め定められたサブセットが前記無線端末に割当られるかもしれなく、かつ、前記マスクが第３の予め定められたパターンに合致する場合、トラヒックチャネルセグメントの前記セットの第２の予め定められたサブセットが前記無線端末に割当られるかもしれない、請求項３９に記載の方法。
【請求項４８】
前記第１の予め定められたサブセットおよび前記第２の予め定められたサブセットが部分的にオーバラップしている、請求項４７に記載の方法。
【請求項４９】
前記マスク値が第４の予め定められたパターンに合致する場合、トラヒックチャネルセグメントの前記セットの第３の予め定められたサブセットが前記無線端末に割当られるかもしれない方法であって、前記第３の予め定められたサブセットは前記第１および第２の予め定められたサブセットと部分的にオーバラップしている、請求項４８に記載の方法。
【請求項５０】
前記無線端末が、前記割当が前記無線端末に向けられていると決定するとき、
予め定められた関連づけによって前記受信された割当に関係づけられたアップリンクトラヒックチャネルセグメントを用いて符号化された情報を送信することと、
予め定められた関連づけによって前記受信された割当に関係づけられたダウンリンクトラヒックチャネルセグメントを介して伝達された符号化した情報を受信すること、の１つを実行することをさらに含む、請求項４１に記載の方法。
【請求項５１】
基地局割当無線端末識別子および情報ビットの第１の数で表される対応マスク値を含む受信制御メッセージ情報を処理するための制御メッセージ処理モジュールと、
無線端末識別子およびマスク識別子の値を含む第１の形式の割当メッセージを処理するための第１の形式の割当メッセージ処理モジュールとを含む無線端末。
【請求項５２】
前記マスク識別子の値が、情報ビットの第２の数で表され、前記第２の数は前記第１の数より小さい、請求項５１に記載の無線端末。
【請求項５３】
前記第１の形式の割当メッセージ処理モジュールが、受信された割当が無線端末に向けられているか否かを受信された第１の形式の割当メッセージから識別する、請求項５１に記載の無線端末。
【請求項５４】
前記第１の形式の割当処理モジュールが、受信された基地局割当無線端末識別子の値が前記受信割当メッセージ内の前記無線端末識別子に合致するかどうかを決定するための、および前記受信マスク識別子の値が前記受信マスク値を識別するかどうかを決定するための第１の動作モードの処理モジュールを含み、かつ、前記受信マスク値が、複数の予め定められたマスク値の１つである、請求項５１に記載の無線端末。
【請求項５５】
前記第１の形式の割当処理モジュールが、前記受信された基地局割当無線端末識別子の値が前記受信割当メッセージ内の前記無線端末識別子に合致するかどうかを決定するための第２の動作モードの処理モジュールを含む、無線端末であって、前記決定は前記割当メッセージ内で受信された前記マスク識別子の値の使用を必要としない、請求項５１に記載の無線端末。
【請求項５６】
前記無線端末識別子を含むがマスク識別子の値を含まない第２の形式の割当メッセージを処理するための、および前記第２の形式の割当メッセージが前記無線端末に向けられていることを識別するための第２の形式の割当メッセージ処理モジュールをさらに含む、請求項５３に記載の無線端末。
【請求項５７】
反復トラヒックチャネル構造を定義する格納されたトラヒックチャネル構造情報をさらに含む無線端末であって、
前記マスク値が前記無線端末に割当られるかもしれない前記反復トラヒックチャネル構造における潜在的トラヒックチャネルセグメントを識別する、請求項５１に記載の無線端末。
【請求項５８】
前記第１および第２の形式の割当メッセージが、トラヒックチャネル割当メッセージである、請求項５３に記載の無線端末。
【請求項５９】
割当メッセージと反復チャネル構造内の少なくとも１つのアップリンクおよびダウンリンクトラヒックチャネルセグメントとの間の予め定められたマッピングを示す格納された情報をさらに含む、請求項５３に記載の無線端末。
【請求項６０】
基地局割当無線端末識別子および対応マスク値を含む受信制御メッセージ情報を処理するための手段であって、前記マスク値は情報ビットの第１の数で表される手段と、
無線端末識別子およびマスク識別子の値を含む第１の形式の割当メッセージを処理するための第１の形式の割当メッセージ処理手段とを含む無線端末。
【請求項６１】
前記マスク識別子の値が、情報ビットの第２の数で表され、前記第２の数は前記第１の数より小さい、請求項６０に記載の無線端末。
【請求項６２】
前記第１の形式の割当メッセージ処理手段が、受信された割当が無線端末に向けられているか否かを受信された第１の形式の割当メッセージから識別する、請求項６０に記載の無線端末。
【請求項６３】
前記第１の形式の割当処理手段が、受信された基地局割当無線端末識別子の値が前記受信割当メッセージ内の前記無線端末識別子に合致するかどうかを決定するための、および前記受信マスク識別子の値が前記受信マスク値を識別するかどうかを決定するための第１の動作モードの処理手段を含み、かつ、前記受信マスク値が、複数の予め定められたマスク値の１つである、請求項６０に記載の無線端末。
【請求項６４】
前記第１の形式の割当処理手段が、前記受信された基地局割当無線端末識別子の値が前記受信割当メッセージ内の前記無線端末識別子に合致するかどうかを決定するための第２の動作モードの処理モジュールをさらに含む無線端末であって、前記決定は前記割当メッセージ内で受信された前記マスク識別子の値の使用を必要としない、請求項６０に記載の無線端末。
【請求項６５】
前記無線端末識別子を含むがマスク識別子の値を含まない第２の形式の割当メッセージを処理するための、および前記第２の形式の割当メッセージが前記無線端末に向けられることを識別するための第２の形式の割当メッセージ処理手段をさらに含む、請求項６２に記載の無線端末。
【請求項６６】
反復トラヒックチャネル構造を定義するトラヒックチャネル構造情報を格納するための手段をさらに含む無線端末であって、
前記マスク値が、前記無線端末に割当られるかもしれない反復トラヒックチャネル構造における潜在的トラヒックチャネルセグメントを識別する、請求項６０に記載の無線端末。
【請求項６７】
無線端末を動作させる方法を実施するための機械実行可能な命令を具体化する計算機可読媒体であって、前記方法が、
第１の値の基地局割当無線端末識別子および情報ビットの第１の数で表される対応マスク値を基地局から受信することと、
無線端末識別子およびマスク識別子の値を含む第１の形式の割当メッセージを前記基地局から受信することとを含む、計算機可読媒体。
【請求項６８】
前記マスク識別子の値が、情報ビットの第２の数で表され、前記第２の数は前記第１の数より小さい、請求項６７に記載の計算機可読媒体。
【請求項６９】
割当が無線端末に向けられているか否かを前記受信された第１の形式の割当メッセージから識別するステップを実行するように無線端末を制御するための機械実行可能な命令をさらに含む、請求項６７に記載の計算機可読媒体。
【請求項７０】
前記受信マスク値が複数の予め定められたマスク値の１セットの１つであるとき、前記割当が前記無線端末に向けられているか否かを識別する前記ステップが、前記受信された基地局割当無線端末識別子の値が前記受信割当メッセージ内の前記無線端末識別子に合致するかどうかを決定することと、前記受信マスク識別子の値が前記受信マスク値を識別するかどうかを決定することとを含む、請求項６７に記載の計算機可読媒体。
【請求項７１】
前記マスク値が複数の予め定められたマスク値の前記セットと排他的である第１の予め定められたマスク値であるとき、前記割当が前記無線端末に向けられているか否かを識別する前記ステップが、前記受信された基地局割当無線端末識別子の値が前記受信割当メッセージ内の前記無線端末識別子に合致するかどうかを決定することを含む計算機可読媒体であって、前記決定は前記割当メッセージ内で受信された前記マスク識別子の値の使用を必要としない、請求項６７に記載の計算機可読媒体。
【請求項７２】
前記無線端末識別子を含むがマスク識別子の値を含まない第２の形式の割当メッセージを受信するステップと、
前記第２の形式の割当メッセージが前記無線端末に向けられていることを識別するステップとを実行するように無線端末を制御するための機械実行可能な命令をさらに含む、請求項６９に記載の計算機可読媒体。
【請求項７３】
基地局割当無線端末識別子および情報ビットの第１の数で表される対応マスク値を無線端末に伝達するように、かつ、
前記無線端末識別子およびマスク識別子の値を含む第１の形式の割当メッセージを前記無線端末に伝達するように、構成されたプロセッサを含む、通信システム内で動作可能な装置。
【請求項７４】
前記マスク識別子の値が、情報ビットの第２の数で表され、前記第２の数は前記第１の数より小さい、請求項７３に記載の装置。
【請求項７５】
プロセッサが、前記無線端末識別子を含むがマスク識別子の値を含まない第２の形式の割当メッセージを前記無線端末に伝達するように構成された、請求項７３に記載の装置。
【請求項７６】
第１の値の基地局割当無線端末識別子および情報ビットの第１の数で表される対応マスク値を基地局から受信するように、かつ、
無線端末識別子およびマスク識別子の値を含む第１の形式の割当メッセージを前記基地局から受信するように構成されたプロセッサを含む、通信システム内で動作可能な装置。
【請求項７７】
前記マスク識別子の値が、情報ビットの第２の数で表され、前記第２の数は前記第１の数より小さい、請求項７６に記載の装置。
【請求項７８】
プロセッサが、割当が無線端末に向けられているか否かを前記受信された第１の形式の割当メッセージから識別するように構成された、請求項７６に記載の装置。
【発明の詳細な説明】
【技術分野】
【０００１】
本発明はマルチユーザ通信システムに関する。より詳細には、無線通信システムにおける割当に関連する方法および装置に関する。
【背景技術】
【０００２】
無線通信システムの普及が進み、提供される多種の形式のデータ通信サービスが増加するに従い、ある基地局へそれのセルに対して割当られる有限の利用可能な無線リンクリソース、例えば周波数スペクトル、に対する要求は増加し続けている。さらに、ユーザ数、およびリソースに対するユーザ要求は時間の関数、ならびに予期されるおよび予期されない要求のピークを引き起こすかもしれないイベントの関数として変化しうる。セル内で同時にアクティブなユーザ数が多いことにより、制御信号用の無線リンクリソースの大きな部分を費やさずに、適時にアップリンクおよび／またはダウンリンクユーザデータを伝達するユーザ要求を満足するための解決すべき問題が生じている。割当のような制御信号用に利用されるリソースはユーザデータを伝達するために利用可能なリソースの量を減少させる。リソースの効率的な使用を難しくしているのは、通常、異なるトラヒックチャネルリソース要求およびレイテンシ、許容誤り率等のような要求を有する種々の異なる形式のユーザおよび／または用途がある、という事実である。
【０００３】
トラヒックチャネルセグメントに用いられる１つの割当法は、基地局接続点（attachment point）が一意の基地局割当ユーザ識別子を、サービスを受ける無線端末の各々に割り付け、次に、その割当識別子を割当メッセージに含めるものである。しかし、潜在的な現ユーザの数が増加するに従い、ユーザ識別子を一意的に表すために必要なビットの数は増加し、その結果、各伝達される割当メッセージ内のオーバヘッド通知信号が増加する。所与の期間にいくつかのユーザがおそらく多くのトラヒックチャネルセグメントを割当られ、一方他のユーザは他よりも小さい数のトラヒックチャネルセグメントを割当られるかもしれないにも拘わらず、一般にこの方法は各ユーザが任意の所与のトラヒックチャネルセグメントに割当られる可能性があるような方法で、ユーザの各々を平等に扱う。
【０００４】
いくつかの用途に対し、この既知の割当法は適切であるかもしれないが、新規の改良された方法および装置がトラヒックチャネル割当に利用可能であれば、それは有益であろう。少なくともいくつかの新規な方法および装置が、他の方法に較べて、効率的に多くのユーザをサポートし、異なる形式のユーザ／用途／現在のニーズへの適合の観点から柔軟性を提供し、および／または制御信号オーバヘッドを制限できるなら、それは望ましいだろう。
【発明の概要】
【０００５】
通信リソース割当情報、例えばトラヒックチャネルセグメント割当情報、のため、およびそのような割当情報の使用のための方法および装置を説明する。種々の代表的方法および装置は基地局および無線端末の双方を含むシステムにおいて用いられるかもしれない。従って、いくつかの方法は基地局に適用可能であり、一方他の方法は無線端末に適用可能であるということが理解されるべきである。
【０００６】
基地局を動作させる代表的な方法は、必ずしもすべてではないがいくつかの実施例に従って以下を含む。すなわち、１つの基地局割当無線端末識別子および１つの対応マスク値を１つの無線端末に伝達し、次に無線端末識別子およびマスク識別子の値を含む第１の形式の割当メッセージをその無線端末に伝達することを含む。いくつかの実施例において、基地局割当無線端末識別子および対応マスク値は状態遷移（state transition）メッセージの部分として伝達される。第１の形式の割当メッセージはトラヒックチャネル割当メッセージであるかもしれない。
【０００７】
いくつかの実施例において、受信マスク値は無線端末が遷移されている動作モードを決定するために用いられる。異なるオン状態動作モードは利用されるかもしれない利用可能なリソースの異なるレベルに対応するかもしれない。また、受信マスク値はそのモードおよび少なくともこれらの利用可能なリソースのいくつかを識別するために用いられるかもしれない。
【０００８】
次に、状態遷移メッセージからの情報は、例えばトラヒックチャネル割当メッセージのような割当メッセージを処理する際に、割当が無線端末に向けられているか否かを決定するために無線端末によって用いられるかもしれない。
【０００９】
いくつかの実施例に従って、代表的基地局は無線端末に向けられる、基地局割当無線端末識別子および対応マスク値を伝達するメッセージ情報を生成するための無線端末制御メッセージ生成モジュールと、前記無線端末識別子およびマスク識別子の値を含む第１の形式の割当メッセージを生成するための第１の形式の割当メッセージ生成モジュールと、前記無線端末制御メッセージ情報および前記第１の形式の割当メッセージを送信するための送信機とを含む。
【００１０】
いくつかの実施例に従って、無線端末を動作させる１つの代表的方法は、基地局から基地局割当無線端末識別子および対応マスク値を受信することと、前記基地局から無線端末識別子およびマスク識別子の値を含む第１の形式の割当メッセージを受信することとを含む。
【００１１】
いくつかの実施例に従って、代表的無線端末は、基地局割当無線端末識別子および対応マスク値を含む受信制御メッセージ情報を処理するための制御メッセージ処理モジュールと、無線端末識別子およびマスク識別子の値を含む第１の形式の割当メッセージを処理するための第１の形式の割当メッセージ処理モジュールとを含む。
【００１２】
必ずしもすべての実施例ではないが種々の実施例は、第１の形式の割当メッセージに加えて第２の形式の割当メッセージを含みおよび用いる。いくつかの実施例において、第２の形式の割当メッセージは無線端末識別子を含むが、マスク識別子の値は含まない。種々の実施例において、例えば割当チャンネル内の割当スロットと、例えばトラヒックチャネル内のトラヒックチャネルセグメントとの間の予め定められたマッピング関連づけは、制御信号を減少させるために利用される。そのような実施例の１つにおいて、割当およびトラヒックチャネルは反復（recurring）チャネル構造の部分である。いくつかの実施例において、トラヒックチャネルセグメントとマスク情報との間に予め定められた関連づけが存在し、制御信号を減少させるために用いられる。
【００１３】
１つの特定の代表的実施例において、無線通信システムはフルトーンフォーマット（full-tone format）のＤＣＣＨフォーマットおよびスプリットトーン（split-tone）ＤＣＣＨフォーマットの双方をサポートするアップリンク専用制御チャネルを実施する。そのような１実施例において、フルトーンフォーマットに論理ＤＣＣＨチャンネルトーンがある場合、そのトーンに対応するＤＣＣＨセグメントの各々は単一の無線端末に関係づけられる。スプリットトーンフォーマットに論理ＤＣＣＨトーンがある場合、そのトーンに対応するＤＣＣＨセグメントは複数の非オーバラップしたサブセットを含み、各サブセットは1つの無線端末に関係づけられうる。
【００１４】
この特定の代表的実施例において、無線端末は基地局接続点からその無線端末によって用いられる対応するＤＣＣＨトーンに関係づけられている基地局割当オン状態識別子を受信するかもしれない。さらに、この特定の代表的実施例に従って、無線端末は割当マスクを受信するかもしれない。割当マスクのビットパターンは無線端末によって用いられることになるＤＣＣＨトーンがフルトーンフォーマットにあるかスプリットトーンフォーマットにあるかを識別する。さらに、スプリットトーンフォーマットが示される場合、ビットパターンは論理トーンに関係づけられるＤＣＣＨセグメントのどの１つ以上の非オーバラップサブセットが無線端末によって用いられることになるかを識別する。
【００１５】
この特定の代表的実施例において、反復ダウンリンク／アップリンクトラヒックチャネル構造はインデックス付きセグメントを含む。各インデックス付きセグメントはフラッシュ（flash）形式割当または標準（regular）形式割当と関係づけられる。フラッシュ形式の割当に関係づけられる各インデックス付きトラヒックチャネルセグメントは予め定められたマッピングによって、１セットビット（set bit）を含む無線端末オン-マスクビットパターンと関係づけられる。標準形式割当に関係づけられる各インデックス付きトラヒックチャネルセグメントは予め定められたマッピングによって、２つの異なる無線端末オン-マスクビットパターンと関係づけられる。この２つの異なるビットパターンの各々は異なる単一セットビットを有する。
【００１６】
この特定の代表的実施例におけるトラヒックチャネルセグメントに対するフラッシュ割当はオン状態識別子フィールドを含む。これは割当が向けられるＷＴのオン状態識別子を搬送する。フルトーンＤＣＣＨモードにある無線端末は、その割当られたＷＴオン状態識別子をオン状態識別子フィールド内の値と照合することにより、割当がそれ自体に向けられている否かを認識する。スプリットトーンＤＣＣＨモードにある無線端末は、割当がそれ自体に向けられている可能性があるかどうかを決定するために、その割当られたオン-状態マスクを、そのセグメントに関係づけられた予め定められたオン状態マスクと比較する。割当が無線端末に向けられ得るセグメントにおいて、無線端末は、それが割当の意図された受信者あるかどうかを決定するために、その割当られたオン状態識別子を、フラッシュ割当のオン-状態識別子フィールド内の値と比較する。
【００１７】
特定の代表的実施例におけるトラヒックチャネルセグメントに対する標準割当は、オン-状態識別子サブフィールドに加えて単一ビットのオン-マスクサブフィールドを含む。オン-マスクサブフィールドのビットパターンは無線端末の２つの異なる潜在的なオン-マスクビットパターンのいずれがセグメント割当に適用されるかを識別する。フルトーンフォーマットＤＣＣＨモードにある無線端末はその割当られたＷＴオン-状態識別子をオン-状態識別子フィールド内の値と照合することにより、割当がそれ自体に向けられているか否かを認識する。スプリットトーンフォーマットＤＣＣＨモードにある無線端末は、割当がそれ自体に向けられる可能性があるかどうかを決定するために、その割当られたオン状態マスクを、そのセグメントに関係し得る予め定められたオン状態マスクと比較する。割当が無線端末に向けられ得るセグメントにおいて、スプリットトーンＤＣＣＨモードにある無線端末は、オン-状態マスクを決定するためのオン-マスクサブフィールドの受信値を復号する。無線端末は割当がそれ自身に向けられる可能性があるかどうかを決定するために、その割当られたオン-状態マスクをセグメントに現在関係づけられている復号されたオン状態マスクと比較するかもしれない。割当がその無線端末に向けられ得るセグメントにおいて、無線端末は、それが割当の意図された受信者であるかどうかを決定するために、その割当られたオン状態識別子を、割当のオン-状態識別子フィールド内の値と比較する。
【００１８】
特定の代表的実施例は特定の順序で実行される種々のステップを説明するが、種々のステップの順序は所与の実施に依存して変わるかもしれないことが理解されるべきである。
【００１９】
上記の概要において種々の実施例について論じてきたが、必ずしもすべての実施例は同じ特徴を含む必要がなく、またいくつかの実施例において上述の特徴のいくつかは必ずしも必要ではないが望ましいかもしれないことが理解されるべきである。以下の詳細な説明において、多くの付加的な機能、実施例、および種々の実施例の利益について論じる。
【図面の簡単な説明】
【００２０】
【図１】本発明の、種々の実施例に従って実施される代表的通信システムを示す図。
【図２】本発明の、種々の実施例に従って実施される代表的基地局、例えばアクセスノードを示す図。
【図３】本発明の、種々の実施例に従って実施される代表的無線端末、例えば移動ノードを示す図。
【図４】本発明の種々の実施例に従う、代表的状態遷移メッセージ信号、専用制御チャンネルトーン、無線端末オン状態識別子および無線端末オンマスクを示す図。
【図５】本発明の種々の実施例に従う、トラヒックチャネルセグメントの代表的フラッシュ割当メッセージ信号および１つ以上の割当を含む標準割当メッセージ信号を示す図。１つ以上の割当の各々は異なるトラヒックチャネルセグメントに対応する。
【図６】本発明の種々の実施例に従う、図６Ａ、図６Ｂおよび図６Ｃの組合せを含む、無線端末を動作させる代表的方法のフローチャート。
【図６Ａ】本発明の種々の実施例に従う、無線端末を動作させる代表的方法のフローチャートの部分。
【図６Ｂ】本発明の種々の実施例に従う、無線端末を動作させる代表的方法のフローチャートの部分。
【図６Ｃ】本発明の種々の実施例に従う、無線端末を動作させる代表的方法のフローチャートの部分。
【図７】本発明の種々の実施例に従う、代表的ダウンリンクトラヒック制御チャンネル（ＤＬ．ＴＣＣＨ）におけるダウンリンクトラヒックチャンネル（ＤＬ．ＴＣＨ）割当の代表的仕様の表。
【図８】本発明の種々の実施例に従う、図８Ａ、図８Ｂおよび図８Ｃの組合せを含む、代表的ダウンリンクトラヒック制御チャンネル（ＤＬ．ＴＣＣＨ）におけるアップリンクトラヒックチャンネル（ＵＬ．ＴＣＨ）割当の代表的仕様の表。
【図８Ａ】本発明の種々の実施例に従う、代表的ダウンリンクトラヒック制御チャンネル（ＤＬ．ＴＣＣＨ）におけるアップリンクトラヒックチャンネル（ＵＬ．ＴＣＨ）割当の代表的仕様の表の部分。
【図８Ｂ】本発明の種々の実施例に従う、代表的ダウンリンクトラヒック制御チャンネル（ＤＬ．ＴＣＣＨ）におけるアップリンクトラヒックチャンネル（ＵＬ．ＴＣＨ）割当の代表的仕様の表の部分。
【図８Ｃ】本発明の種々の実施例に従う、代表的ダウンリンクトラヒック制御チャンネル（ＤＬ．ＴＣＣＨ）におけるアップリンクトラヒックチャンネル（ＵＬ．ＴＣＨ）割当の代表的仕様の表の部分。
【図９】本発明の、ダウンリンクフレーミングフォーマットが割当通知信号のために使われている、図５の代表的基地局および代表的無線端末を説明する図。
【図１０】本発明の、アップリンクフレーミングフォーマットが割当通知信号のために使われている、図５の代表的基地局および代表的無線端末を説明する図。
【図１１】本発明の種々の実施例に従う、図１１Ａ、図１１Ｂおよび図１１Ｃの組合せを含む、基地局を動作させる代表的方法のフローチャート。
【図１１Ａ】本発明の種々の実施例に従う、基地局を動作させる代表的方法のフローチャートの部分。
【図１１Ｂ】本発明の種々の実施例に従う、基地局を動作させる代表的方法のフローチャートの部分。
【図１１Ｃ】本発明の種々の実施例に従う、基地局を動作させる代表的方法のフローチャートの部分。
【図１２】本発明の種々の実施例に従う、基地局を動作させる代表的方法のフローチャート。
【図１３】本発明の種々の実施例に従う、無線端末を動作させる代表的方法のフローチャート。
【図１４】本発明の種々の実施例に従って実施される代表的基地局の図。
【図１５】本発明の種々の実施例に従って実施される代表的無線端末、例えば移動ノードの図。
【図１６】本発明の種々の実施例に従う、代表的状態遷移通知信号を説明する図。
【図１７】本発明の種々の実施例に従う、代表的反復チャネル割り当て通知信号を説明する図。
【図１８】本発明の種々の実施例に従う、代表的状トラヒックチャネル割当通知信号を説明する図。
【発明を実施するための形態】
【００２１】
図１に種々の実施例に従って実施される代表的通信システム１００を示す。代表的通信システム１００は複数のセル、セル１  １０２、セルＭ  １０４を含む。代表的システム１００は例えばトーンホッピングを含む多重接続直交周波数分割多重（ＯＦＤＭ）スペクトル拡散システムのような多重接続ＯＦＤＭ無線通信システムである。代表的システム１００の各セル１０２、１０４は３つのセクタを含む。また、複数のセクタに細分されていない（Ｎ＝１）セル、２つのセクタ（Ｎ＝２）を有するセル、および３つより多い（Ｎ＞３）セクタを有するセルも種々の実施例に従って可能である。各セクタは１つ以上の搬送波および／またはダウンリンクトーンブロックをサポートする。各ダウンリンクトーンブロックには対応するアップリンクトーンブロックがある。いくつかの実施例において、少なくともいくつかのセクタは３つのダウンリンク／アップリンクトーンブロックのペアをサポートする。ある基地局に対する１つのセクタとトーンブロックペアの各組合せは異なる基地局セクタ接続点に対応する。セル１０２は第１のセクタ、セクタ１  １１０、第２のセクタ、セクタ２  １１２、および第３のセクタ、セクタ３  １１４を含む。同様に、セルＭ  １０４は第１のセクタ、セクタ１  １２２、第２のセクタ、セクタ２  １２４、および第３のセクタ、セクタ３  １２６を含む。セル１  １０２は基地局（ＢＳ）、基地局１  １０６、および各セクタ１１０、１１２、１１４内の複数の無線端末（ＷＴ）を含む。セクタ１  １１０はそれぞれ無線リンク１４０、１４２を介してＢＳ１０６と接続されたＷＴ（１）１３６およびＷＴ（Ｎ）１３８を含み、セクタ２  １１２はそれぞれ無線リンク１４８、１５０を介してＢＳ１０６と接続されたＷＴ（１’）１４４およびＷＴ（Ｎ’）１４６を含み、セクタ３  １１４はそれぞれ無線リンク１５６、１５８を介してＢＳ１０６と接続されたＷＴ（１’’）１５２およびＷＴ（Ｎ’’）１５４を含む。同様に、セルＭ  １０４は基地局Ｍ  １０８、および各セクタ１２２、１２４、１２６内の複数の無線端末（ＷＴ）を含む。セクタ１  １２２はそれぞれ無線リンク１８０、１８２を介してＢＳＭ  １０８と接続されたＷＴ（１’’’’）１６８およびＷＴ（Ｎ’’’’）１７０を含み、セクタ２  １２４はそれぞれ無線リンク１８４、１８６を介してＢＳＭ  １０８と接続されたＷＴ（１’’’’’）１７２およびＷＴ（Ｎ’’’’’）１７４を含み、セクタ３  １２６はそれぞれ無線リンク１８８、１９０を介してＢＳＭ  １０８と接続されたＷＴ（１’’’’’’）１７６およびＷＴ（Ｎ’’’’’’）１７８を含む。
【００２２】
システム１００はネットワークリンク１６２、１６４を介してそれぞれＢＳ１  １０６およびＢＳＭ  １０８と接続されたネットワークノード１６０をも含む。また、ネットワークノード１６０はネットワークリンク１６６を介して他のネットワークノード、例えば他の基地局、ＡＡＡサーバノード、中間ノード、ルータ等と、およびインターネットと接続される。ネットワークリンク１６２、１６４、１６６は例えば光ファイバーケーブルであるかもしれない。各無線端末、例えばＷＴ１  １３６は受信機と同様に送信機を含む。少なくともいくつかの無線端末、例えばＷＴ（１）１３６は、システム１００内を移動し、無線リンクを介して現在ＷＴが位置するセル内の基地局と例えば基地局セクタ接続点を用いて交信するかもしれない移動ノードである。無線端末（ＷＴ）、例えば、ＷＴ（１）１３６、はピアノード、例えばシステム１００内またはシステム１００外の他のＷＴ、と基地局、例えばＢＳ１０６、および／またはネットワークノード１６０、を介して交信するかもしれない。ＷＴ、例えばＷＴ（１）１３６は携帯電話、無線モデムを備えた個人用データ端末、無線モデムを備えたラップトップコンピュータ、無線モデムを備えたデータ端末のような移動通信デバイスであるかもしれない。
【００２３】
図１の代表的システム１００において、各基地局接続点に対応して、反復ダウンリンク／アップリンクチャネル構造がある。このチャネル構造はトラヒックチャネル割当通知信号機会（opportunity）およびトラヒックチャネルセグメントを含む。割当通知信号機会、例えば１つ以上の割当機会を含むトラヒック制御チャンネルセグメントは、対応するトラヒックチャネルセグメントに連結される。構造内の割当通知信号機会と構造内のトラヒックチャネルセグメントとの間のこの予め定められた連結はオーバヘッドの通知信号を減少させる。種々の実施例に従って、割当機会は、個々ベースで、複数のｗｔＯｎＭａｓｋ識別子の１つ以上との固定的な関係を有する。スプリットトーンフォーマットを表す１つより多いｗｔＯｎＭａｓｋ識別子が択一的である割当機会において、割当メッセージはその選択肢間の区別に用いられる例えば単一ビット指標のようなフィールドを含む。したがって、トラヒックチャネルセグメントは１つの無線端末へ曖昧さ無しに割当ることができる。この代表的実施例において、１つのトラヒックチャネルセグメントが、フルトーン専用制御チャネル（ＤＣＣＨ）を用いて任意の接続点のオン状態無線端末に割当られることができる。一方同じトラヒックチャネルセグメントがスプリットトーンＤＣＣＨを用いて無線端末のサブセットに割当られることができる。本方法は、種々の実施例に従って、効率的で、その上柔軟性のある割当構造を提供する。
【００２４】
図２は種々の実施例に従って実施される代表的基地局２００、例えばアクセスノードの図である。代表的基地局２００は図１の基地局（１０６、１０８）のいずれかであるかもしれない。基地局２００はバス２１２を介して互いに接続される受信機モジュール２０２、送信機モジュール２０４、プロセッサ２０６、Ｉ／Ｏインターフェース２０８、およびメモリー２１０を含む。このバス上で種々の要素がデータおよび情報を交換するかもしれない。メモリー２１０はルーチン２１８およびデータ／情報２４０を含む。プロセッサ２０６、例えばＣＰＵはルーチン２１８を実行し、並びに基地局の動作を制御し、および方法を実施するためにメモリー２１０内のデータ／情報２４０を用いる。
【００２５】
受信機モジュール２０２、例えばＯＦＤＭ受信機は基地局が無線端末からのアップリンク信号を受信する受信アンテナ２０３に接続される。受信アップリンク信号は状態遷移を求める要求、アップリンク専用制御チャネルセグメント信号を含むアップリンク制御チャンネルセグメント信号、およびアップリンクトラヒックチャネルセグメント信号を含む。受信機モジュール２０２は少なくともいくつかの受信アップリンク信号を復号するための復号器２１４を含む。この復号器は、例えば、アップリンクトラヒックチャネルセグメントに対応する受信アップリンク信号にブロック復号操作を実行する。
【００２６】
送信機モジュール２０４、例えばＯＦＤＭ送信機、は基地局が無線端末へダウンリンク信号を送信する送信アンテナ２０５に接続される。ダウンリンク信号は状態遷移メッセージ、ダウンリンクトラヒック制御チャンネルセグメント信号、およびダウンリンクトラヒックチャネルセグメント信号を含む。少なくともいくつかの状態遷移メッセージは無線端末のオン識別子およびｗｔＯｎＭａｓｋを示す情報を含む。アップリンクおよび／またはダウンリンクトラヒックチャネルセグメントに対応する割当メッセージを含むダウンリンクトラヒック制御チャネルセグメント信号であって、前記割当メッセージの少なくともいくつかはｗｔＯｎＭａｓｋ指標値を含む。ダウンリンクトラヒックチャネルセグメント信号はユーザデータ、例えば音声データ、オーディオデータ、テキストデータ、画像データ、ファイルデータなどを搬送する。いくつかの実施例において、同じアンテナが受信機モジュール２０２および送信機モジュール２０４に対して例えばデュプレクスモジュールと共に用いられる。種々の実施例において、基地局の各セクタに対応して、例えば別々のアンテナおよび／またはセクタ化したアンテナを備える別々の受信機モジュール２０２および別々の送信機モジュール２０４がある。
【００２７】
Ｉ／Ｏインターフェース２０８は基地局２００をインターネットおよび／または他のネットワークノード、例えば他の基地局、ＡＡＡサーバノード、ホームエージェントノード、ルータ等に接続する。このＩ／Ｏインターフェース２０８は基地局２００を種々の基地局を相互に接続する迂回中継ネットワークに接続する。従って、無線接続を介して第１の基地局に接続される無線端末は無線接続によって第２の基地局に接続される別の無線端末との交信セッションを有するかもしれない。
【００２８】
ルーチン２１８は通信ルーチン２２２および基地局制御ルーチン２２４を含む。通信ルーチン２２２は基地局２００によって用いられる種々の通信プロトコルを実施する。基地局制御ルーチン２２４はスケジューリングモジュール２２６、割当信号生成モジュール２２８、専用制御チャンネル（ＤＣＣＨ）モジュール２３４、送信機制御モジュール２３６、および受信機制御モジュール２３８を含む。
【００２９】
スケジューリングモジュール２２６、例えばスケジューラは、アップリンクおよびダウンリンクトラヒックチャネルセグメントにこの基地局を用いる無線端末のスケジューリングを例えば基地局２００によって用いられるスケジューリングプロトコル規則に基づいて行う。どのユーザがどのトラヒックチャネルセグメントを割当られるかを決定する際に、例えば、規則は優先度レベル、レイテンシの問題、伝達されるべき情報の形式、要求、チャンネル状態、妨害レベル、電力の問題、伝達されるべき情報量、および／または他の要素を考慮に入れるかもしれない。スケジューリングモジュール２２６は無線端末をチャネル構造内の割当スロットに関連づける。ダウンリンクトラヒック制御チャンネル内の割当スロットは情報２４８および／または情報２５０に従ってチャネル構造内の対応するトラヒックチャネルセグメントに関連づけられる。スケジューリングモジュール２２６によりセグメント毎ベースで実行されるこの関連づけは無線端末オン状態識別子およびｗｔＯｎＭａｓｋ識別子を１割当スロットを用いて割当ることを含む。
【００３０】
割当信号生成モジュール２２８はスケジューリングモジュール２２６からの出力を用いて、並びに割当メッセージフレーミング情報およびＤＬ／ＵＬタイミング／周波数構造情報２４４を用いて割当信号を生成する。割当信号生成モジュール２２８はフラッシュチャンネルサブモジュール２３０および標準チャンネルサブモジュール２３２を含む。フラッシュチャンネルサブモジュール２３０はダウンリンクトラヒック制御チャンネルフラッシュセグメント上で搬送されることになるフラッシュ割当信号を生成する。フラッシュ割当信号は単一のトラヒックチャネルセグメントに対応する割当メッセージを含む。標準チャンネルサブモジュール２３２はダウンリンクトラヒック制御チャンネル標準セグメント上で搬送されることになる標準割当信号を生成する。標準信号は各々が別々の割当を有する最大３つの異なるトラヒックチャネルセグメントに対応する割当メッセージを含む。
【００３１】
ＤＣＣＨモジュール２３４は論理専用制御チャンネルトーンのフルトーンフォーマットのトーンとスプリットトーンフォーマットのトーンとの間の分割を制御する。また、ＤＣＣＨモジュール２３４は、どの無線端末がフルトーンフォーマットでＤＣＣＨトーンを受信するか、およびどれがスプリットトーンフォーマットでＤＣＣＨトーンを受けるかを決定する。ＤＣＣＨモジュール２３４は状態遷移メッセージを生成する。少なくともいくつかの状態遷移メッセージは無線端末オン状態識別子および割当られたｗｔＯｎＭａｓｋを示すメッセージである。例えば、１基地局接続点に対応する３１個のＤＣＣＨ論理トーンを含み、スプリットトーンフォーマットにおいて最大３つの無線端末が同じＤＣＣＨ論理トーンを用いるように割当られるかもしれない、代表的実施例において、その無線端末は５ビットの無線端末識別子および３ビットのｗｔＯｎＭａｓｋを割当られ、ｗｔＯｎＭａｓｋ＝１１１は無線端末がフルトーンフォーマットに割当られたオン状態識別子に対応するＤＣＣＨトーンを用いることを示し、ｗｔＯｎＭａｓｋ＝１００、０１０、または００１は無線端末がスプリットトーンフォーマットに割当られたオン状態識別子に対応するＤＣＣＨトーンを用いることを示す。さらに、割当られたｗｔＯｎＭａｓｋは割当構造と割当通知信号において利用される。代表的な実施例において、所与の接続のため所与の無線端末に対する割当られたｗｔＯｎＭａｓｋ（１１１、００１、０１０、１００）の４つの可能な値のうちの１つは無線端末に向けられた状態遷移メッセージ内の２ビット幅フィールドを介して伝達される。
【００３２】
送信機制御モジュール２３６は送信機モジュール２０４の動作を制御し、一方受信機制御モジュール２３８は受信機モジュール２０２の動作を制御する。
【００３３】
データ／情報２４０はシステムデータ／情報２４２、無線端末データ／情報２６８、複数セットの状態遷移メッセージ情報（状態遷移メッセージ１の情報２５６、・・・、状態遷移メッセージｎの情報２５８）、複数セットのフラッシュ割当メッセージ情報（フラッシュ割当メッセージ１の情報２６０、・・・、フラッシュ割当メッセージＮの情報２６２）、および複数セットの標準割当メッセージ情報（標準割当メッセージ１の情報２６４、・・・、標準割当メッセージＮの情報２６６）を含む。
【００３４】
システムデータ２４２はダウンリンク／アップリンクのタイミング周波数構造情報２４４および割当メッセージフレーミング情報２４６を含む。ダウンリンク／アップリンクのタイミング／周波数構造情報２４４は反復チャネル構造情報、アップリンクおよびダウンリンクのトーンブロック情報、搬送波周波数情報、ＯＦＤＭシンボルタイミング情報、ハーフスロット、スロット、スーパスロット、ビーコンスロット、ウルトラスロット等のようなＯＦＤＭシンボルのグルーピングに関連する情報、並びにアップリンクおよびダウンリンクのトーンホッピング情報を含む。ダウンリンク／アップリンクのタイミング／周波数構造情報２４４はダウンリンクトラヒック制御チャネルをダウンリンクトラヒックチャンネル２４８に関係づける情報、およびダウンリンクトラヒック制御チャンネルをアップリンクトラヒックチャネル２５０に関係づける情報を含む。情報２４８は無線端末オンマスク情報２５２、例えば特定のダウンリンクトラヒックチャネルセグメントを特定の割当られたｗｔＯｎＭａｓｋおよび／または割当られたｗｔＯｎＭａｓｋ指標値に関係づける情報、を含む。情報２５０は無線端末オンマスク情報２５４、例えば特定のダウンリンクトラヒックチャネルセグメントを特定の割当られたｗｔＯｎＭａｓｋおよび／または割当られたｗｔＯｎＭａｓｋ指標値に関係づける情報、を含む。
【００３５】
割当メッセージフレーミング情報２４６は割当メッセージの種々の形式、例えばアップリンクフレーミングフォーマットを用いるフラッシュ割当、アップリンクフレーミングフォーマットを用いる標準割当、ダウンリンクフレーミングフォーマットを用いるフラッシュ割当、ダウンリンクフレーミングフォーマットを用いる標準割当、に関係する情報を含む。
【００３６】
ＷＴデータ／情報２６８は複数セットの無線端末データ／情報（無線端末１のデータ／情報２７０、・・・、無線端末Ｎのデータ／情報２７２）を含む。無線端末１のデータ／情報２７０はオン状態識別子２７４、割当られた無線端末オンマスク２７６、専用制御チャンネルモード２７８、ユーザ／デバイス／セッション／リソース情報２８０、基地局接続点情報２８２、ユーザデータ２８４、および割当られたトラヒックチャンネルセグメント情報２８６を含む。
【００３７】
オン状態識別子２７６はＤＣＣＨモジュールによってＷＴ１に割当られた、例えば１、・・・、３１の範囲にある５ビット値のオン状態識別子である。割当られたｗｔＯｎＭａｓｋ２７６はＤＣＣＨモジュールによってＷＴ１に割当られた、例えば１１１、１００、０１０、または００１の１つである３ビット値のｗｔＯｎＭａｓｋである。ＤＣＣＨモード２７８は、例えば割当られたｗｔＯｎＭａｓｋ＝１１１に対応するＤＣＣＨフルトーンフォーマットモード、および例えば割当られたｗｔＯｎＭａｓｋ＝１００、０１０または００１のいずれかに対応するＤＣＣＨスプリットトーンフォーマットモードの１つである。オン状態識別子２７４および割当られたｗｔＯｎＭａｓｋ２７６は、例えば（状態遷移メッセージ１の情報２５６、・・・、状態遷移メッセージｎの情報２５８）の１つに対応する状態遷移メッセージを介して伝達される。
【００３８】
ユーザ／デバイス／セッション／リソース情報２８０はＷＴ１のユーザに対応する識別情報およびユーザプロファイル情報、ＷＴ１デバイス識別情報、ＷＴ１デバイス形式情報、ＷＴ１デバイスパラメータ情報、ピアノード情報を含むセッション情報、状態情報、ルーティング情報、セッション状態情報、並びにＷＴ１に割当られたアップリンクおよび／またはダウンリンクセグメントのようなリソース情報を含む。基地局接続点情報２８２は、ＷＴ１を基地局セクタおよびアップリンク／ダウンリンクトーンブロックのペアに対応する特定の基地局接続点に関連づける情報を含む。ユーザデータ２８４は、例えば、音声データ、オーディオデータ、画像データ、テキストデータ、ファイルデータなどを含む。ユーザデータ２８４はダウンリンクトラヒックチャネルセグメントでＷＴ１へ伝達されるべきユーザデータ、ＷＴ１へ伝達されるように意図された受信ユーザデータ、および別のピアノードへ伝達されるように意図されたＷＴ１から送信されたユーザデータを含む。割当られたトラヒックチャンネルセグメント情報２８６はＷＴ１に割当られたアップリンクおよび／またはダウンリンクトラヒックチャネルセグメントを識別する情報を含む。
【００３９】
いくつかの実施例において、基地局２００内の種々のモジュールおよび／または情報はセクタ毎ベースまたは接続点毎ベースで実施される。
【００４０】
図３は種々の実施例に従って実施される代表的無線端末３００、例えば移動ノードの図である。代表的無線端末３００は図１の代表的システム１００の代表的無線端末のいずれかであるかもしれない。無線端末３００はバス３１２を介して互いに接続される受信機モジュール３０２、送信機モジュール３０４、プロセッサ３０６、ユーザＩ／Ｏデバイス３０８、およびメモリー３１０を含む。このバスを介して種々の要素がデータおよび情報を交換することができる。メモリー３１０はルーチン３１８およびデータ／情報３２０を含む。プロセッサ３０６、例えばＣＰＵは、ルーチン３１８を実行し、基地局３００の動作を制御し、方法を実施するためにメモリー３１０内のデータ／情報３２０を用いる。
【００４１】
受信機モジュール３０２、例えばＯＦＤＭ受信機、は無線端末３００が基地局からのダウンリンク信号を受信する受信アンテナ３０３に接続される。ダウンリンク信号は状態遷移メッセージ、ダウンリンク制御チャネルセグメント信号、およびダウンリンクチャンネルセグメント信号を含む。少なくともいくつかの状態遷移メッセージは無線端末オン識別子およびｗｔＯｎＭａｓｋを示す情報を含む。アップリンクおよび／またはダウンリンクトラヒックチャネルセグメントに対応する割当メッセージを含むダウンリンクトラヒック制御チャネルセグメント信号であって、前記割当メッセージの少なくともいくつかはｗｔＯｎＭａｓｋ指標値を含む。ダウンリンクトラヒックチャネルセグメント信号はユーザデータ、例えば音声データ、オーディオデータ、テキストデータ、画像データ、ファイルデータなどを搬送する。受信機モジュール３０３は少なくともいくつかの受信ダウンリンク信号を復号する復号器３５４を含む。
【００４２】
送信モジュール３０４、例えばＯＦＤＭ送信機、は無線端末が基地局へアップリンク信号を送信する送信アンテナ３０５に接続される。送信されるアップリンク信号は状態遷移を求める要求、アップリンク専用制御チャネルセグメント信号を含むアップリンク制御チャンネルセグメント信号、およびアップリンクトラヒックチャネルセグメント信号を含む。送信モジュール３０４は送信に先だって少なくともいくつかのアップリンク信号を符号化する符号器３１６を含む。いくつかの実施例において、同じアンテナが受信機モジュール３０２および送信モジュール３０４に対して例えばデュプレクスモジュールと共に用いられる。
【００４３】
ユーザＩ／Ｏデバイス３０８、例えばマイクロホン、キーパッド、キーボード、スイッチ、カメラ、スピーカー、ディスプレイ等、はＷＴ３００のユーザがユーザデータを入力し、ユーザデータを出力し、アプリケーションを制御することを可能とする。さらに、ユーザＩ／Ｏデバイス３０８はＷＴ３００のオペレータがＷＴ３００の種々の機能を制御すること、例えば通信セッションを開始することを可能とする。
【００４４】
ルーチン３１８は通信ルーチン３２２および無線端末制御ルーチン３２４を含む。通信ルーチン３２２は無線端末３００によって用いられる種々の通信プロトコルを実施する。無線端末制御ルーチン３２４は割当信号処理モジュール３２６、専用制御チャンネルモジュール３２８、送信機制御モジュール３３０、および受信機制御モジュール３３２を含む。
【００４５】
割当信号処理モジュール３２６は受信割当信号を処理し、受信された割当がＷＴ３００に向けられる予定であるか否かを決定する。割当信号処理モジュール３２６は、フルトーンフォーマットＤＣＣＨ動作モードでＷＴ３００を動作させる際に用いるためのフラッシュ割当チャンネルサブモジュール３３４、スプリットトーンフォーマットＤＣＣＨ動作モードでＷＴ３００を動作させる際に用いるためのフラッシュ割当チャンネルサブモジュール３３６、フルトーンフォーマットＤＣＣＨ動作モードでＷＴ３００を動作させる際に用いるための標準割当チャンネルサブモジュール３３８、およびスプリットトーンフォーマットＤＣＣＨ動作モードでＷＴ３００を動作させる際に用いるための標準割当チャンネルサブモジュール３４０を含む。
【００４６】
ＤＣＣＨモジュール３２８は受信された状態情報メッセージを処理する。少なくともいくつかの受信された状態遷移メッセージは割当られた無線端末が無線端末オン状態識別子および割当られたｗｔＯｎＭａｓｋを割当られていることを示すメッセージである。代表的な１実施例において、状態遷移メッセージは割当られた無線端末識別子のための５ビット幅のフィールド、および４つのｗｔＯｎＭａｓｋ値の１つを搬送するための２ビット幅のフィールドを含む。例えば、基地局接続点に対応する３１個のＤＣＣＨ論理トーンを含み、最大３つの無線端末がスプリットトーンフォーマットで同じＤＣＣＨ論理トーンを用いるように割当られるかもしれない代表的な実施例において、無線端末は５ビットの無線端末識別子および３ビットのｗｔＯｎＭａｓｋを割当られる。ｗｔＯｎＭａｓｋ＝１１１は無線端末がフルトーンフォーマットに割当られたオン状態識別子に対応するＤＣＣＨトーンを用いることを示し、ｗｔＯｎＭａｓｋ＝１００、０１０、または００１は無線端末がスプリットトーンフォーマットに割当られたオン状態識別子に対応するＤＣＣＨトーンを用いることを示す。さらに、割当られたｗｔＯｎＭａｓｋは割当構造および割当通知信号で利用される。ＤＣＣＨモジュール３２８はＷＴ３００が使用のために割当られ済みのオン状態識別子３５６、およびＷＴ３００が使用のために割当られ済みの割当られたＷＴオンマスク３５８を決定する。ＷＴ３００は受信情報から、例えばフルトーンフォーマットＤＣＣＨ動作モードを動作させることになるかスプリットトーンフォーマットＤＣＣＨ動作モードを動作させることになるかのような、ＤＣＣＨモード３６０を決定する。ＤＣＣＨモジュール３２８の決定は割当信号処理サブモジュールペア（３３４、３３８）がフルトーンＤＣＣＨモードの場合に用いられるかどうか、または割当信号処理サブモジュールペア（３３６、３４０）がスプリットトーンフォーマットＤＣＣＨモード動作の場合に用いられるかどうかを制御する。
【００４７】
送信機制御モジュール３３０は送信モジュール３０４の動作を制御し、一方受信機制御モジュール３３２は受信機モジュール３０２の動作を制御する。
【００４８】
データ／情報３２０はユーザ／デバイス／セッション／リソース情報３４２、システムデータ／情報３４４、受信された状態遷移メッセージ情報３４６、複数の受信フラッシュ割当メッセージ情報セット（受信フラッシュ割当メッセージ１の情報３４８、・・・、受信フラッシュ割当メッセージＮの情報３５０）、複数の受信標準割当メッセージ情報セット（受信標準割当メッセージ１の情報３５２、・・・、受信標準割当メッセージＮの情報３５４）、オン状態識別子３５６、割当られた無線端末オンマスク３５８、専用制御チャネルモード３６０、基地局接続点情報３６２、ユーザデータ３６６、および割当られたトラヒックチャネルセグメント情報３６８を含む。
【００４９】
ユーザ／デバイス／セッション／リソース情報３４２はＷＴ３００のユーザに対応する識別情報およびユーザプロファイル情報、ＷＴ３００のデバイス識別情報、ＷＴ３００のデバイス形式情報、ＷＴ３００のデバイスパラメータ情報、ピアノード情報を含むセッション情報、状態情報、ルーティング情報、セッション状態情報、並びにＷＴ３００に割当られたアップリンクおよび／またはダウンリンクセグメントのようなリソース情報を含む。基地局接続点情報３６２は基地局セクタおよびアップリンク／ダウンリンクのトーンブロックのペアに対応する特定の基地局接続点にＷＴ３００を関係づける情報を含む。ユーザデータ３６６は、例えば、音声データ、オーディオデータ、画像データ、テキストデータ、ファイルデータなどを含む。ユーザデータ３６６はＷＴ３００に割当られたダウンリンクトラヒックチャネルセグメントから受信されたユーザデータ、およびＷＴ３００に割当られたアップリンクトラヒックチャネルセグメントを介して基地局へ送信されるようにＷＴ３００が意図したユーザデータを含み、そのデータは次にＷＴ３００との交信セッションにおいてＷＴ３００の別のピアノードへ伝達される。割当られたトラヒックチャンネルセグメント情報３６８はＷＴ３００に割当られたアップリンクおよび／またはダウンリンクトラヒックチャネルセグメントを識別する情報を含む。
【００５０】
システムデータ／情報３４４は複数セットの基地局データ／情報（基地局１のデータ／情報３７０、基地局Ｍのデータ／情報３７２）を含む。基地局１のデータ／情報３７０はダウンリンク／アップリンクのタイミング／周波数構造情報３７４および割当メッセージフレーミング情報３７６を含む。ダウンリンク／アップリンクのタイミング／周波数構造情報３７４は反復チャネル構造情報、アップリンクおよびダウンリンクのトーンブロック情報、搬送波周波数情報、ＯＦＤＭシンボルタイミング情報、ハーフスロット、スロット、スーパスロット、ビーコンスロット、ウルトラスロット等のようなＯＦＤＭシンボルのグルーピングに関連する情報、並びにアップリンクおよびダウンリンクのトーンホッピング情報を含む。ＤＬ／ＵＬのタイミング／周波数構造情報３７４はダウンリンクトラヒック制御チャネルをダウンリンクトラヒックチャンネル３７８に関係づける情報、およびダウンリンクトラヒック制御チャンネルをアップリンクトラヒックチャネル３８０に関係づける情報をも含む。情報３７８は無線端末オンマスク情報３８２、例えば特定のダウンリンクトラヒックチャネルセグメントを特定の割当られたｗｔＯｎＭａｓｋおよび／または割当られたｗｔＯｎＭａｓｋ指標値に関係づける情報、を含む。情報３８０は無線端末オンマスク情報３８４、例えば特定のダウンリンクトラヒックチャネルセグメントを特定の割当られたｗｔＯｎＭａｓｋおよび／または割当られたｗｔＯｎＭａｓｋ指標値に関係づける情報、を含む。
【００５１】
割当メッセージフレーミング情報３７６は割当メッセージの種々の形式、例えばアップリンクフレーミングフォーマットを用いるフラッシュ割当、アップリンクフレーミングフォーマットを用いる標準割当、ダウンリンクフレーミングフォーマットを用いるフラッシュ割当、ダウンリンクフレーミングフォーマットを用いる標準割当、に関係する情報を含む。
【００５２】
受信フラッシュ割当メッセージ１の情報３４８は受信フラッシュ割当メッセージ、例えばモジュール３３４および３３６の１つへ入力された情報並びにそれから復元された情報、に関係する情報を含む。受信標準割当メッセージ１の情報３５２は受信標準割当メッセージ、例えばモジュール３３８および３４０の１つへ入力された情報並びにそれから復元された情報、に関係する情報を含む。
【００５３】
図４は種々の実施例に従って実施される代表的基地局４０２および複数の代表的無線端末（ＷＴ１  ４０４、・・・、ＷＴＮ  ４０５）を含む。代表的基地局４０２は図１の代表的基地局のいずれかであるかもしれない。また代表的無線端末４０４、４０５は図１の代表的無線端末のいずれかであるかもしれない。代表的基地局４０２はＷＴのオン識別子４０８およびｗｔＯｎＭａｓｋ４１０を含む状態遷移メッセージ４０６を無線端末４０４に送信する。また、代表的基地局４０２はＷＴのオン識別子４０９およびｗｔＯｎＭａｓｋ４１１を含む状態遷移メッセージ４０７を無線端末４０５に送る。
【００５４】
代表的基地局４０２は各トーンがＷＴのオン識別子に関係している１組の専用制御チャンネルトーン（ＤＣＣＨチャンネルトーン１  ４１２、・・・、ＤＣＣＨチャネルトーン３１  ４１４）を用いる。この代表的な実施例において、ＷＴはフルトーンＤＣＣＨモードまたはスプリットトーンＤＣＣＨモードのいずれかで動作するように命令されうる。フルトーンＤＣＣＨモードにおいて、ＷＴは（１・・３１）の範囲のＷＴオン識別子およびｗｔＯｎＭａｓｋ＝１１１を受信する。例えばフルトーンフォーマットにあるＤＣＣＨチャンネルトーン１に対応して、ＷＴのオンＩＤ＝１  ４１６であり、ｗｔＯｎＭａｓｋ＝１１１  ４１８である。同様に、フルトーンフォーマットにあるＤＣＣＨチャンネルトーン３１に対応して、ＷＴのオンＩＤ＝３１  ４２０であり、ｗｔＯｎＭａｓｋ＝１１１  ４２２である。スプリットトーンＤＣＣＨモードにおいて、ＷＴは（１・・３１）の範囲のＷＴオン識別子および００１、０１０、または１００の１つに等しいｗｔＯｎＭａｓｋを受信する。スプリットトーンモードにおいて、同じ論理ＤＣＣＨチャンネルトーンが最大３つの異なるＷＴに関係づけられうる。例えば、スプリットトーンフォーマットにあるＤＣＣＨチャンネルトーン１に対応して、第１のＷＴはＷＴのオンＩＤ＝１  ４２４およびｗｔＯｎＭａｓｋ＝００１  ４２６を含む状態遷移メッセージを送られることができ、第２のＷＴはＷＴのオンＩＤ＝１  ４２８およびｗｔＯｎＭａｓｋ＝０１０  ４３０を含む状態遷移メッセージを送られることができ、第３のＷＴはＷＴのオンＩＤ＝１  ４３２およびｗｔＯｎＭａｓｋ＝１００  ４３４を含む状態遷移メッセージを送られることができる。同様に、スプリットトーンフォーマットにあるＤＣＣＨチャンネルトーン３１に対応して、第１のＷＴはＷＴのオンＩＤ＝３１  ４３６およびｗｔＯｎＭａｓｋ＝００１  ４３８を含む状態遷移メッセージを送られることができ、第２のＷＴはＷＴのオンＩＤ＝３１  ４４０およびｗｔＯｎＭａｓｋ＝０１０  ４４２を含む状態遷移メッセージを送られることができ、第３のＷＴはＷＴのオンＩＤ＝３１  ４４４およびｗｔＯｎＭａｓｋ＝１００  ４４６を含む状態遷移メッセージを送られることができる。
【００５５】
いくつかの実施例において、状態遷移メッセージ内で、無線端末のオン識別子は５ビット幅のフィールドを介して伝達され、無線端末のオンマスクは２ビット幅のフィールドで伝達される。
【００５６】
図５は種々の実施例に従って実施される代表的基地局５０２および代表的無線端末５０４を含む図面５００である。代表的基地局５０２は図１の代表的基地局のいずれかであるかもしれない。また代表的無線端末５０４は図１の代表的無線端末のいずれかであるかもしれない。代表的な基地局５０２はフラッシュトラヒックチャネル割当メッセージ５０６および標準トラヒックチャネル割当メッセージ５０８を送信する。例えば、いくつかの実施例において、例えばセクタおよびトーンブロックのような特定の接続点に対する、基地局５０２に対応するアップリンクおよびダウンリンクトラヒックチャネルは繰り返しパターンのインデックス付セグメントに分割される。いくつかの実施例において、割当メッセージと割当られる対応するトラヒックチャネルセグメントとの間に予め定められたタイミング関係がある。
【００５７】
この代表的な実施例において、各フラッシュトラヒックチャネル割当メッセージ５０６は１つのトラヒックチャネルセグメントに対応する。また割当が向けられるＷＴを識別するために用いられる５ビットのＷＴのオンＩＤフィールド５１０を含む。フラッシュＴＣＨ割当メッセージ５０６によって割当られるトラヒックチャネルセグメントはアップリンクトラヒックチャネルセグメントおよびダウンリンクトラヒックチャネルセグメントの１つである。
【００５８】
この代表的な実施例において、各標準トラヒックチャネルセグメント割当メッセージ５０８は３つの異なるトラヒックチャネルセグメントに対応し、第１の割当情報５１２、第２の割当情報５１８、および第３の割当情報５２４を含む。第１の割当情報５１２はＷＴのオンＩＤ（５ビット）５１４およびｗｔＯｎＭａｓｋ識別子（１ビット）５１６を含む。第２の割当情報５１８はＷＴのオンＩＤ（５ビット）５２０およびｗｔＯｎＭａｓｋ識別子（１ビット）５２２を含む。第３の割当情報５２４はＷＴのオンＩＤ（５ビット）５２６およびｗｔＯｎＭａｓｋ識別子（１ビット）５２８を含む。各標準トラヒックチャネル割当メッセージは以下の内の１つのトラヒックチャネルセグメント割当を搬送するために用いられる。（ｉ）２つのダウンリンクトラヒックチャネルセグメントおよび１つのアップリンクトラヒックチャネルセグメント、（ｉｉ）１つのダウンリンクトラヒックチャネルセグメントおよび２つのアップリンクトラヒックチャネルセグメント。
【００５９】
図６Ａ、図６Ｂ、および図６Ｃの組合せを含む図６は種々の実施例に従う無線端末を動作させる代表的方法のフローチャート６００である。代表的方法の動作は無線端末が電源を投入され初期化されるステップ６０２で始まる。動作はステップ６０２からステップ６０４へ進む。ステップ６０４において、無線端末はＷＴのオン識別子およびｗｔＯｎＭａｓｋを伝達する状態遷移メッセージを受信する。例えば、状態遷移メッセージは基地局のセクタ接続点によって送信される。例えば、基地局のセクタ接続点はダウンリンクトーンブロックおよび対応するアップリンクトーンブロックを用い、同時に複数の無線端末とのオン状態接続をサポートできる。ＷＴのオン識別子はＷＴを複数の専用制御チャンネルアップリンクの論理トーンの１つに関係づける基地局割当識別子である。代表的な実施例においてｗｔＯｎＭａｓｋは以下の内の１つである。００１、０１０、１００、および１１１。パターン００１、０１０、１００はＷＴがスプリットトーンＤＣＣＨ動作モードになることを示す。パターン１１１はＷＴがフルトーンＤＣＣＨモードになることを示す。
【００６０】
動作はステップ６０４からステップ６０６へ進む。ステップ６０６において、ＷＴはＷＴに向けられた受信された状態遷移メッセージの伝達されたｗｔＯｎＭａｓｋが以下のことを示すか否かを検査する。すなわち、ＷＴが、割当られたトラヒックチャネルセグメントがそのＷＴに対するものであるかを決定するためにｗｔＯｎＭａｓｋ割当信号情報を評価する必要がないことを示すか否かである。例えば、受信された状態遷移メッセージの伝達されたｗｔＯｎＭａｓｋが１１１の場合、ＷＴはフルトーンモードにあることになり、割当がそのＷＴに対するものかを決定するためにｗｔＯｎＭａｓｋ割当信号情報を評価する必要はなく、動作はステップ６０６から６０８へ進む。しかし、状態遷移メッセージの伝達されたｗｔＯｎＭａｓｋが００１、０１０、１００の１つである場合、ＷＴはスプリットトーンＤＣＣＨモードにあることになり、ＷＴは割当がそのＷＴに対するものかを決定するためにｗｔＯｎＭａｓｋ割当信号情報を評価し、動作はステップ６０６からステップ６１６へ進む。
【００６１】
ステップ６０８において、無線端末は割当メッセージを受信する。動作は各受信割当メッセージについて、ステップ６０８からステップ６１０へ進む。ステップ６１０において、受信割当メッセージがフラッシュ割当かまたは標準割当であるかによって、無線端末は異なる経路を進む。いくつかの実施例において、フラッシュ割当は標準割当信号に用いられる送信電力よりもトーン当たりより高い送信電力を用いて非ゼロ変調シンボルで伝達される。いくつかの実施例において、フラッシュ割当はフラッシュ割当チャンネルセグメントのトーンシンボルと関係づけられたゼロおよび非ゼロ変調シンボル値の組合せを用いる通知信号を含む。一方、標準割当チャネルセグメントは標準割当チャネルセグメントのトーシンボルに対して非ゼロ変調シンボル値を用いる。受信割当メッセージがフラッシュ割当の場合、動作はゴーツーステップ６１２を介してステップ６１０からサブルーチン１  ６２６へ進む。受信割当メッセージが標準割当の場合、動作は複数のチャネル割当、例えば標準割当メッセージに含まれる３つのトラヒックチャネル割当の各々について、ゴーツーステップ６１４を介してステップ６１０からサブルーチン２  ６５０へ進む。
【００６２】
トラヒックチャネルセグメントのフラッシュ割当がＷＴに対応しているか否かを決定するために用いられる代表的サブルーチン１  ６２６について説明する。ステップ６２８において、ＷＴは予め定められた繰り返し構造内のセグメントの位置からセグメント割当に対応するｗｔＯｎＭａｓｋを決定する。例えば、代表的１実施例において、アップリンクトラヒックチャネルはフラッシュ割当信号を介して割当られる２８個のインデックス付きアップリンクトラヒックチャネルセグメントを含む。スプリットトーンＤＣＣＨ動作モードを考えると、これらの２８個のアップリンクトラヒックチャネルセグメントのうち、１０個のアップリンクトラヒックチャネルセグメントの第１のセットは００１に設定されたｗｔＯｎＭａｓｋと共に個別に（複数の）ＷＴに割当られ、９個のアップリンクトラヒックチャネルセグメントの第２のセットは０１０に設定されたｗｔＯｎＭａｓｋと共に個別に（複数の）ＷＴに割当られ、９個のアップリンクトラヒックチャネルセグメントの第３のセットは１００に設定されたｗｔＯｎＭａｓｋと共に個別に（複数の）ＷＴに割当られる。第１、第２および第３のセットは非オーバラップセットである。
【００６３】
例えば、代表的１実施例において、インデックス値（３、１３、２２、３０、３８、４７、５４、６１、７１、および０）を有するアップリンクトラヒックチャネルセグメントは第１のセットを形成し、インデックス値（６、１６、２５、３２、３９、４９、５７、６６、および７４）を有するアップリンクトラヒックチャネルセグメントは第２のセットを形成し、インデックス値（１０、１９、２８、３５、４４、５２、５８、６８、および７６）を有するアップリンクトラヒックチャネルセグメントは第３のセットを形成する。同様の方法で、フラッシュ割当を介して割当られるダウンリンクトラヒックチャネルセグメントのセットはスプリットトーンＤＣＣＨ動作モードにあるＷＴに割当られるかもしれない３つのｗｔＯｎＭａｓｋ値の間で分割される。
【００６４】
動作はステップ６２８からステップ６３０へ進む。ステップ６３０において、ＷＴはセグメント割当に対応する決定されたｗｔＯｎＭａｓｋを状態遷移メッセージからのｗｔＯｎＭａｓｋと比較する。動作はステップ６３０からステップ６３２に進む。ステップ６３２において、ＷＴは、この比較が、割当られたセグメントがそのＷＴに対してであるかもしれないことを示すかどうかを判定する。例えば、この代表的実施例において、遷移メッセージからのｗｔＯｎＭａｓｋがセグメント割当に対応するｗｔＯｎＭａｓｋと合致する場合、それは割当られたセグメントがそのＷＴに対するものであるかもしれないということを示し、次に動作はステップ６３２からステップ６３４へ進み、他の場合には、スプリットトーンＤＣＣＨモードにあるＷＴはセグメントを割当られることから除外され、次に、動作はステップ６３２からステップ６４０に進む。
【００６５】
いくつかの実施例において、スプリットトーンＤＣＣＨモードにあるＷＴはＤＣＣＨチャンネルトーンの２つの部分を割当られるかもしれない。そのようなＷＴはｗｔＯｎＭａｓｋ＝０１１、１０１、または１１０を受信するかもしれない。そのようないくつかの実施例において、割当信号に対応するｗｔＯｎＭａｓｋは００１、０１０、および１００の１つであり、遷移メッセージのｗｔＯｎＭａｓｋ内のいずれかの位置のビットと割当メッセージを表すｗｔＯｎＭａｓｋ内の対応する同じ位置のビットとのビット毎の論理アンドが１に等しい場合、トラヒックチャネルセグメントはそのＷＴに割当られるかもしれない。例えば、遷移メッセージからのｗｔＯｎＭａｓｋが０１１であり、かつ割当メッセージを表すｗｔＯｎＭａｓｋが００１または０１０の場合、ＷＴはそのセグメントを割当られるかもしれない。しかし、遷移メッセージからのｗｔＯｎＭａｓｋが０１１であり、かつ割当メッセージを表すｗｔＯｎＭａｓｋが１００の場合、ＷＴはそのセグメントを割当られることから除外される。
【００６６】
ステップ６３４において、ＷＴはセグメント割当に対応するＷＴのオン識別子を割当メッセージに含まれる情報、例えば５ビットのＷＴのオンＩＤフィールド、から決定する。動作はステップ６３４からステップ６３６に進む。ステップ６３６において、ＷＴはセグメントに対応する決定されたＷＴのオン識別子が状態遷移メッセージからのＷＴオン識別子と合致するかを検査する。合致している場合、ＷＴはステップ６３８に進む。ステップ６３８において、サブルーチン１は割当られたトラヒックチャネルセグメントがそのＷＴに対するものであるという表示を返す。合致していない場合、動作はステップ６４０に進む。ステップ６４０において、サブルーチン１は割当られたトラヒックチャネルセグメントがそのＷＴに対するものではないという表示を返す。
【００６７】
トラヒックチャネルセグメントの標準割当がＷＴに対応しているか否かを決定するために用いられる代表的サブルーチン２  ６５０について説明する。ステップ６５２において、ＷＴは予め定められた繰り返し構造内のセグメント位置からセグメント割当に対応するかもしれない２つの択一的ｗｔＯｎＭａｓｋを決定する。例えば、代表的１実施例において、アップリンクトラヒックチャネルは標準割当信号を介して割当られる４９個のインデックス付きアップリンクトラヒックチャネルセグメントを含む。スプリットトーンＤＣＣＨ動作モードを考えると、これらの４９個のアップリンクトラヒックチャネルセグメントのうち、１７個のアップリンクトラヒックチャネルセグメントの第１のセットは００１または０１０に設定されたそのｗｔＯｎＭａｓｋと共に個別に（複数の）ＷＴに割当られ、１６個のアップリンクトラヒックチャネルセグメントの第２のセットは０１０または１００に設定されたそのｗｔＯｎＭａｓｋと共に個別に（複数の）ＷＴに割当られ、１６個のアップリンクトラヒックチャネルセグメントの第３のセットは１００または００１に設定されたそのｗｔＯｎＭａｓｋと共に個別に（複数の）ＷＴに割当られるかもしれない。第１、第２および第３のセットは非オーバラップセットである。例えば、代表的１実施例において、インデックス値（４、８、１２、１７、２１、２６、３１、３６、４０、４５、５０、５５、６０、６４、６９、７３、および２）を有するアップリンクトラヒックチャネルセグメントは第１のセットを形成し、インデックス値（７、１１、１５、２０、２４、２９、３４、４１、４３、４８、５３、５９、６３、６７、７２、および１）を有するアップリンクトラヒックチャネルセグメントは第２のセットを形成し、インデックス値（５、９、１４、１８、２３、２７、３３、３７、４２、４６、５１、５６、６２、６５、７０、および７５）を有するアップリンクトラヒックチャネルセグメントは第３のセットを形成する。同様の方法で、標準割当を介して割当られたダウンリンクトラヒックチャネルセグメントのセットはスプリットトーンＤＣＣＨ動作モードにあるＷＴに割当られるかもしれないｗｔＯｎＭａｓｋ値に関係づけられる。
【００６８】
動作はステップ６５２からステップ６５４へ進む。ステップ６５４において、ＷＴはセグメント割当に対応するｗｔＯｎＭａｓｋを割当メッセージに含まれる情報から決定する。例えば、割当メッセージに含まれる１ビットｗｔＯｎＭａｓｋ識別子ビットは基地局がステップ６５２の２つの潜在的な択一的ｗｔＯｎＭａｓｋの間の選択をすることを可能とする。例えば、割当がインデックス値＝４を有する代表的アップリンクトラヒックチャンネルセグメントに対応し、かつステップ６５２の２つの択一的ｗｔＯｎＭａｓｋが００１および０１０であるとする。割当メッセージに含まれるｗｔＯｎＭａｓｋ識別子ビットが０の場合、それは割当られたｗｔＯｎＭａｓｋ＝００１であることを示す。しかし、割当メッセージに含まれるｗｔＯｎＭａｓｋ識別子ビットが１の場合、それは割当られたｗｔＯｎＭａｓｋ＝０１０であることを示す。ステップ６５６において、ＷＴはセグメント割当に対応する決定されたｗｔＯｎＭａｓｋを状態遷移メッセージからのｗｔＯｎＭａｓｋと比較する。動作はステップ６５６からステップ６５８へ進む。ステップ６５８において、ＷＴは、この比較が、割当られたセグメントがそのＷＴであるかもしれないことを示すかどうかを判定する。例えば、代表的実施例において、遷移メッセージからのｗｔＯｎＭａｓｋがセグメント割当に対応するｗｔＯｎＭａｓｋと合致する場合、それは割当られたセグメントがそのＷＴに対するものであるかもしれないということを示し、次に動作はステップ６５８からステップ６６０へ進み、他の場合には、スプリットトーンＤＣＣＨモードにあるＷＴはセグメントを割当られることから除外され、次に、動作はステップ６５８からステップ６６６に進む。
【００６９】
いくつかの実施例において、スプリットトーンＤＣＣＨモードにあるＷＴはＤＣＣＨチャンネルトーンの２つの部分を割当られるかもしれない。そのようなＷＴはｗｔＯｎＭａｓｋ＝０１１、１０１または１１０を受信するかもしれない。そのようないくつかの実施例において、割当信号内に示されるｗｔＯｎＭａｓｋは００１、０１０、および１００の１つであり、遷移メッセージのｗｔＯｎＭａｓｋ内のいずれかの位置のビットと割当メッセージを表すｗｔＯｎＭａｓｋ内の対応する同じ位置のビットとのビット毎の論理アンドが１に等しい場合、トラヒックチャネルセグメントはそのＷＴに割当られるかもしれない。例えば、遷移メッセージからのｗｔＯｎＭａｓｋが０１１であり、かつ割当メッセージを表すｗｔＯｎＭａｓｋが００１または０１０の場合、ＷＴはそのセグメントを割当られるかもしれない。しかし、遷移メッセージからのｗｔＯｎＭａｓｋが０１１であり、かつ割当メッセージを表すｗｔＯｎＭａｓｋが１００の場合、ＷＴはそのセグメントを割当られることから除外される。
【００７０】
ステップ６６０において、ＷＴはセグメント割当に対応するＷＴのオン識別子を割当メッセージに含まれる情報から、例えば５ビットのＷＴのオンＩＤフィールドから決定する。動作はステップ６６０からステップ６６２へ進む。ステップ６６２において、ＷＴはセグメントに対応する決定されたＷＴのオン識別子が状態遷移メッセージからのＷＴオン識別子と合致するかを検査する。合致している場合、ＷＴはステップ６６４へ進む。ステップ６６４において、サブルーチン２は割当られたトラヒックチャネルセグメントがそのＷＴに対するものであるという表示を返す。合致していない場合、動作はステップ６６６へ進む。ステップ６６６において、サブルーチン２は割当られたトラヒックチャネルセグメントがそのＷＴに対するものではないという表示を返す。
【００７１】
ステップ６１６に戻り、ステップ６１６においてＷＴは割当メッセージを受信する。割当メッセージに含まれる各トラヒックチャネル割当について、動作はステップ６１６からステップ６１８へ進む。ステップ６１８において、ＷＴはセグメント割当に対応するＷＴのオン識別子を割当メッセージに含まれる情報から、例えば割当メッセージ内の５ビットのＷＴのオンＩＤフィールドから決定する。動作はステップ６１８からステップ６２０へ進む。ステップ６２０において、ＷＴはセグメントに対応する決定されたＷＴのオン識別子が状態遷移メッセージからのＷＴのオン識別子と合致するか否かを判定する。合致している場合、ＷＴはステップ６２０からステップ６２２へ進む。ステップ６２２において、ＷＴは割当られたトラヒックチャネルセグメントがそのＷＴに対するものであると認識する。合致していない場合、動作はステップ６２４へ進む。ステップ６２４において、無線端末は割当られたトラヒックチャンネルセグメントがそのＷＴに対するものではないことを認識する。
【００７２】
図７は代表的ダウンリンクトラヒック制御チャンネル（ＤＬ．ＴＣＣＨ）におけるダウンリンクトラヒックチャンネル（ＤＬ．ＴＣＨ）割当の代表的仕様の表７００である。表７００の情報は無線端末３００においてＤＬ．ＴＣＣＨをＤＬ．ＴＣＨ３７８に関係づける情報および基地局２００においてＤＬ．ＴＣＣＨをＤＬ．ＴＣＨ２４８に関係づける情報に対応するかもしれない。表７００において、割当フィールドがフレーミングフォーマットに存在しない場合、対応する記入欄は「Ｎ／Ａ」で示される。割当られたＤＬ．ＴＣＨセグメントはそれがＤＬ．ＴＣＣＨセグメントを割当スーパスロットの直後のスーパスロットで始まる場合、記入欄は網掛で示される。
【００７３】
第１列７０２「行インデックス」は１つの行インデックスを指定する。所与の行インデックスにおいて、１つの行は割当られたＤＬ．ＴＣＨセグメントのインデックスおよび割当られたＤＬ．ＴＣＨセグメントのｗｔＯｎＭａｓｋに関する情報を指定する。第２列７０４「フレーミングフォーマット」は所与の行インデックスに対するダウンリンクトラヒック制御チャンネルフラッシュ（ＤＬ．ＴＣＣＨ．ＦＬＡＳＨ）セグメントおよびダウンリンクトラヒック制御チャンネル標準（ＤＬ．ＴＣＣＨ．ＲＥＧＵＬＡＲ）セグメントにおいて用いられるフレーミングフォーマットを指定する。
【００７４】
第３列７０６「ＤＬ．ＴＣＣＨ．ＦＬＡＳＨ内の割当られたＤＬ．ＴＣＨセグメントのインデックス」はＤＬ．ＴＣＣＨ．ＦＬＡＳＨセグメントによって割当られたＤＬ．ＴＣＨセグメントのインデックスを指定する。
【００７５】
第４列７０８「ＤＬ．ＴＣＣＨ．ＦＬＡＳＨ内の割当られたｗｔＯｎＭａｓｋ」は第３列７０６におけるＤＬ．ＴＣＨセグメントへの割当られたｗｔＯｎＭａｓｋを指定する。「ｓ」は所与のスロットにおけるＤＬ．ＴＣＣＨ．ＦＬＡＳＨセグメントおよびＤＬ．ＴＣＣＨ．ＲＥＧＵＬＡＲセグメントのセグメントインデックスを示す。いくつかの実施例において、ｓは０：６３の範囲の整数値である。
【００７６】
第５列７１０「ＤＬ．ＴＣＣＨ．ＲＥＧＵＬＡＲ  ＤＬ．ＴＣＨ割当０の割当られたＤＬ．ＴＣＨセグメントのインデックス」はＤＬ．ＴＣＣＨ．ＲＥＧＵＬＡＲセグメントのＤＬ．ＴＣＨ割当０フィールドによって割当られたＤＬ．ＴＣＨセグメントのインデックスを指定する。第６列７１２「ＤＬ．ＴＣＣＨ．ＲＥＧＵＬＡＲ  ＤＬ．ＴＣＨ割当０の割当られたｗｔＯｎＭａｓｋ」は第５列７１０において指定されるＤＬ．ＴＣＨセグメント内で用いられる２つの可能なｗｔＯｎＭａｓｋを指定する。ＤＬ．ＴＣＣＨ．ＲＥＧＵＬＡＲセグメントのＤＬ．ＴＣＨ割当フィールドの「割当られたｗｔＯｎＭａｓｋ」サブフィールドは２つの可能なｗｔＯｎＭａｓｋのいずれが実際に割当られるかを指定する。「オンマスク」サブフィールドが０の場合、第６列７１２の１番目がＤＬ．ＴＣＨセグメントへの割当られたｗｔＯｎＭａｓｋであり、「オンマスク」サブフィールドが１の場合、第６列７１２の２番目がＤＬ．ＴＣＨセグメントへの割当られたｗｔＯｎＭａｓｋである。
【００７７】
第７列７１４「ＤＬ．ＴＣＣＨ．ＲＥＧＵＬＡＲ  ＤＬ．ＴＣＨ割当１の割当られたＤＬ．ＴＣＨセグメントのインデックス」はＤＬ．ＴＣＣＨ．ＲＥＧＵＬＡＲセグメントの「ＤＬ．ＴＣＨ割当１」フィールドによって割当られたＤＬ．ＴＣＨセグメントのインデックスを指定する。第８列７１６「ＤＬ．ＴＣＣＨ．ＲＥＧＵＬＡＲ  ＤＬ．ＴＣＨ割当１の割当られたｗｔＯｎＭａｓｋ」は第７列７１４において指定されるＤＬ．ＴＣＨセグメント内で用いられる２つの可能なｗｔＯｎＭａｓｋを指定する。ＤＬ．ＴＣＣＨ．ＲＥＧＵＬＡＲセグメントの「ＤＬ．ＴＣＨ割当」フィールドの「割当られたｗｔＯｎＭａｓｋ」サブフィールドは２つの可能なｗｔＯｎＭａｓｋのいずれが実際に割当られるかを指定する。「オンマスク」サブフィールドが０の場合、第８列７１６の１番目がＤＬ．ＴＣＨセグメントへの割当られたｗｔＯｎＭａｓｋであり、「オンマスク」サブフィールドが１の場合、第８列７１６の２番目がＤＬ．ＴＣＨセグメントへの割当られたｗｔＯｎＭａｓｋである。
【００７８】
表７００の使用を示す例について説明する。ｓ＝６とする。ｓ＝６の場合、ｍｏｄ（ｓ，８）＝６であることに留意のこと。従って、行インデックス＝６を参照する。ＤＬ．ＴＣＣＨ．ＦＬＡＳＨセグメント内にＤＬ．ＴＣＨ割当はない。ＤＬ．ＴＣＣＨ．ＲＥＧＵＬＡＲセグメントの「ＤＬ．ＴＣＨ割当０」フィールドはＤＬ．ＴＣＨセグメント［１４］に対する割当を指定し、「ＤＬ．ＴＣＨ割当０」フィールドの「オンマスク」サブフィールドに従って０ｂ００１または０ｂ０１０のいずれかがＤＬ．ＴＣＨセグメント［１４］への割り当てられたｗｔＯｎＭａｓｋになり得る。「オンマスク」サブフィールドが０の場合、割当られたｗｔＯｎＭａｓｋは０ｂ００１である。従って、割当られたＷＴのｗｔＯｎＭａｓｋは０ｂ００１または０ｂ１１１のいずれかになり得る。「オンマスク」サブフィールドが１の場合、割当られたｗｔＯｎＭａｓｋは０ｂ０１０である。従って、割当られたＷＴのｗｔＯｎＭａｓｋは０ｂ０１０または０ｂ１１１のいずれかになり得る。ＤＬ．ＴＣＣＨ．ＲＥＧＵＬＡＲセグメントの「ＤＬ．ＴＣＨ割当１」フィールドはＤＬ．ＴＣＨセグメント［１５］に対する割当を指定し、「ＤＬ．ＴＣＨ割当１」フィールドの「オンマスク」サブフィールドに従って０ｂ１００または０ｂ００１のいずれかがＤＬ．ＴＣＨセグメント［１５］への割り当てられたｗｔＯｎＭａｓｋになり得る。「オンマスク」サブフィールドが０の場合、割当られたｗｔＯｎＭａｓｋは０ｂ１００である。従って、割当られたＷＴのｗｔＯｎＭａｓｋは０ｂ１００または０ｂ１１１のいずれかになり得る。「オンマスク」サブフィールドが１の場合、割当られたｗｔＯｎＭａｓｋは０ｂ００１である。従って、割当られたＷＴのｗｔＯｎＭａｓｋは０ｂ００１または０ｂ１１１のいずれかになり得る。
【００７９】
次にｓ＝１５とする。ｓ＝１５の場合、ｍｏｄ（ｓ，８）＝７であることに留意のこと。従って、行インデックス＝７を参照する。ＤＬ．ＴＣＣＨ．ＦＬＡＳＨおよびＤＬ．ＴＣＣＨ．ＲＥＧＵＬＡＲセグメント［１５］はダウンリンクフレーミングフォーマットを用いる。ＤＬ．ＴＣＣＨ．ＦＬＡＳＨセグメントの「ＤＬ．ＴＣＨ割当０」フィールドはＤＬ．ＴＣＨセグメント［１］およびｗｔＯｎＭａｓｋに対する割当を指定し、ＤＬ．ＴＣＨセグメント［１］に割当られるべきＷＴのｗｔＯｎＭａｓｋは１＜＜ｍｏｄ（（１５−１）／２，３）＝０ｂ０１０である。ここで演算子＜＜はビットの左シフトを表す。ＤＬ．ＴＣＣＨ．ＲＥＧＵＬＡＲセグメントの「ＤＬ．ＴＣＨ割当０」フィールドはＤＬ．ＴＣＨセグメント［０］に対する割当を指定し、「ＤＬ．ＴＣＨ割当０」フィールドの「オンマスク」サブフィールドに従って０ｂ０１０または０ｂ１００のいずれかがＤＬ．ＴＣＨ［０］への割り当てられるべきｗｔＯｎＭａｓｋとなる。「オンマスク」サブフィールドが０の場合、割当られたｗｔＯｎＭａｓｋは０ｂ０１０である。従って、割当られたＷＴのｗｔＯｎＭａｓｋは０ｂ０１０または０ｂ１１１のいずれかになり得る。「オンマスク」サブフィールドが１の場合、割当られたｗｔＯｎＭａｓｋは０ｂ１００である。従って、割当られたＷＴのｗｔＯｎＭａｓｋは０ｂ１００または０ｂ１１１のいずれかになり得る。「ＤＬ．ＴＣＨ割当１」フィールドはない。２つのＤＬ．ＴＣＨセグメントは双方ともＤＬ．ＴＣＣＨセグメントのスーパスロットの直後のスーパスロットで始まることに留意のこと。
【００８０】
図８Ａ、図８Ｂおよび図８Ｃの組合せを含む図８は代表的ダウンリンクトラヒック制御チャンネル（ＤＬ．ＴＣＣＨ）におけるアップリンクトラヒックチャンネル（ＵＬ．ＴＣＨ）割当の代表的仕様の表８００である。表８００の情報は無線端末３００においてＤＬ．ＴＣＣＨをＵＬ．ＴＣＨ３８０に関係づける情報および基地局２００においてＤＬ．ＴＣＣＨをＵＬ．ＴＣＨ２５０に関係づける情報に対応するかもしれない。表８００はビーコンスロット内のＵＬ．ＴＣＨの割当を示す。このパターンはすべてのビーコンスロットで繰り返す。ｓ＝０：６３について、ＤＬ．ＴＣＣＨ．ＦＬＡＳＨセグメント［ｓ］およびＤＬ．ＴＣＣＨ．ＲＥＧＵＬＡＲセグメント［ｓ］によって割当られたＵＬ．ＴＣＨセグメントは行インデックスがｍｏｄ（ｓ−ｆｌｏｏｒ（ＢＳＳ＿ＤＬＵＬ＿ＯＦＦＳＥＴ／１４），６４）に等しい行に指定される。ここでＢＳＳ＿ＤＬＵＬ＿ＯＦＦＳＥＴは基地局のセクタに関係づけられた負でない整数であり、基地局セクタで測ったとき、ダウンリンクスーパスロットがその併行するアップリンクスーパスロットにどれだけの時間進んでいるかを指定する。
【００８１】
表８００において、割当フィールドに対応するＵＬ．ＴＣＨセグメントが存在しない場合、対応する記入欄は「ｘ」で示され、割当フィールド自体がフレーミングフォーマット内に存在しない場合、対応する記入欄は「Ｎ／Ａ」で示される。
【００８２】
第１列８０２「行インデックス」は１つの行インデックスを指定する。所与の行インデックスに対して、１つの行は割当られたＵＬ．ＴＣＨセグメントのインデックスおよび対応するＵＬ．ＴＣＨセグメントに割当られたＷＴのｗｔＯｎＭａｓｋに関する情報を指定する。第２列８０４「フレーミングフォーマット」は所与の行インデックスに対するＤＬ．ＴＣＣＨ．ＦＬＡＳＨセグメントおよびＤＬ．ＴＣＣＨ．ＲＥＧＵＬＡＲセグメントにおいて用いられるフレーミングフォーマットを指定する。
【００８３】
第３列８０６「ＤＬ．ＴＣＣＨ．ＦＬＡＳＨ内の割当られたＵＬ．ＴＣＨセグメントのインデックス」はＤＬ．ＴＣＣＨ．ＦＬＡＳＨセグメントによって割当られたＵＬ．ＴＣＨセグメントのインデックスを指定する。第４列８０８「ＤＬ．ＴＣＣＨ．ＦＬＡＳＨ内の割当られたｗｔＯｎＭａｓｋ」は第３列８０６で指定されるＤＬ．ＴＣＨセグメントへの割当られるｗｔＯｎＭａｓｋを指定する。
【００８４】
第５列８１０「ＤＬ．ＴＣＣＨ．ＲＥＧＵＬＡＲ  ＵＬ．ＴＣＨ割当０の割当られたＵＬ．ＴＣＨセグメントのインデックス」はＤＬ．ＴＣＣＨ．ＲＥＧＵＬＡＲセグメントの「ＵＬ．ＴＣＨ割当０」フィールドによって割当られたＵＬ．ＴＣＨセグメントのインデックスを指定する。第６列８１２「ＤＬ．ＴＣＣＨ．ＲＥＧＵＬＡＲ  ＵＬ．ＴＣＨ割当０の割当られたｗｔＯｎＭａｓｋ」は第５列８１０において指定されるＵＬ．ＴＣＨ内で用いられる２つの可能なｗｔＯｎＭａｓｋを指定する。ＤＬ．ＴＣＣＨ．ＲＥＧＵＬＡＲセグメントの「ＵＬ．ＴＣＨ割当フィールド０」の「オンマスク」サブフィールドは２つのｗｔＯｎＭａｓｋのいずれが実際に割当られるかを指定する。「オンマスク」サブフィールドが０の場合、第６列８１２の１番目がＵＬ．ＴＣＨセグメントへ割当られるＷＴのｗｔＯｎＭａｓｋであり、「オンマスク」サブフィールドが１の場合、第６列８１２の２番目がＵＬ．ＴＣＨセグメントへ割当られるＷＴのｗｔＯｎＭａｓｋである。
【００８５】
第７列８１４「ＤＬ．ＴＣＣＨ．ＲＥＧＵＬＡＲ  ＵＬ．ＴＣＨ割当１の割当られたＵＬ．ＴＣＨセグメントのインデックス」はダウンリンクＴＣＣＨ．ＲＥＧＵＬＡＲセグメントの「ＵＬ．ＴＣＨ割当１」フィールドによって割当られるＵＬ．ＴＣＨセグメントのインデックスを指定する。第８列８１６「ＤＬ．ＴＣＣＨ．ＲＥＧＵＬＡＲ  ＵＬ．ＴＣＨ割当１の割当られたｗｔＯｎＭａｓｋ」は第７列８１４において指定されるＵＤＬ．ＴＣＨセグメント内で用いられる２つの可能なｗｔＯｎＭａｓｋを指定する。ＤＬ．ＴＣＣＨ．ＲＥＧＵＬＡＲセグメントの「ＤＬ．ＴＣＨ割当フィールド１」の「オンマスク」サブフィールドは２つの取り得るｗｔＯｎＭａｓｋのいずれが実際に割当られるかを指定する。「オンマスク」サブフィールドが０の場合、第８列８１６の１番目がＵＬ．ＴＣＨセグメントへ割当られたＷＴのｗｔＯｎＭａｓｋであり、「オンマスク」サブフィールドが１の場合、第６列の２番目がＵＬ．ＴＣＨセグメントへ割当られたＷＴのｗｔＯｎＭａｓｋである。
【００８６】
表８００の使用を示す例について説明する。ｓ＝６３かつＢＳＳ＿ＤＬＵＬ＿ＯＦＦＳＥＴ＝３３とする。それらの条件のもとで、ｍｏｄ（ｓ−ｆｌｏｏｒ（ＢＳＳ＿ＤＬＵＬ＿ＯＦＦＳＥＴ／１４），６４）＝６１であることに留意のこと。従って、行インデックス＝６１の行を参照する。ＤＬ．ＴＣＣＨ．ＦＬＡＳＨおよびＤＬ．ＴＣＣＨ．ＲＥＧＵＬＡＲセグメント［６３］はダウンリンクフレーミングフォーマットを用いる。ＤＬ．ＴＣＣＨ．ＦＬＡＳＨセグメントにはＵＬ．ＴＣＨがない。ＤＬ．ＴＣＣＨ．ＲＥＧＵＬＡＲセグメントの「ＵＬ．ＴＣＨ割当０」フィールドおよび「ＵＬ．ＴＣＨ割当１」フィールドに対応するＵＬ．ＴＣＨセグメントは双方とも存在しない。対応する「オンマスク」サブフィールドはＮ／Ａに設定される。
【００８７】
次にｓ＝０かつＢＳＳ＿ＤＬＵＬ＿ＯＦＦＳＥＴ＝３３とする。それらの条件のもとで、ｍｏｄ（ｓ−ｆｌｏｏｒ（ＢＳＳ＿ＤＬＵＬ＿ＯＦＦＳＥＴ／１４），６４）＝６２であることに留意のこと。従って、行インデックス＝６２の行を参照する。ＤＬ．ＴＣＣＨ．ＦＬＡＳＨおよびＤＬ．ＴＣＣＨ．ＲＥＧＵＬＡＲセグメント［０］はアップリンクフレーミングフォーマットを用いる。ＤＬ．ＴＣＣＨ．ＦＬＡＳＨセグメントの「ＵＬ．ＴＣＨ割当０」フィールドはＵＬ．ＴＣＨセグメント［０］に対する割当を指定し、ＵＬ．ＴＣＨセグメント［０］への割当られたｗｔＯｎＭａｓｋは０ｂ００１である。従って、割当られたＷＴのｗｔＯｎＭａｓｋは０ｂ００１または０ｂ１１１のいずれかになり得る。ＤＬ．ＴＣＣＨ．ＲＥＧＵＬＡＲセグメントの「ＵＬ．ＴＣＨ割当０」フィールドに対応するＵＬ．ＴＣＨセグメントは存在しない。「ＵＬ．ＴＣＨ割当１」フィールドはない。割当られたＵＬ．ＴＣＣＨ．ＲＥＧＵＬＡＲセグメントが存在しないことに留意のこと。「ＵＬ．ＴＣＣＨ割当１」フィールドはない。割当られたＵＬ．ＴＣＨセグメント［０］はＤＬ．ＴＣＣＨセグメント［０］を割当るのと同じビーコンスロットで始まることに留意のこと。
【００８８】
次にｓ＝６２かつＢＳＳ＿ＤＬＵＬ＿ＯＦＦＳＥＴ＝３３とする。それらの条件のもとで、ｍｏｄ（ｓ−ｆｌｏｏｒ（ＢＳＳ＿ＤＬＵＬ＿ＯＦＦＳＥＴ／１４），６４）＝６０であることに留意のこと。従って、行インデックス＝６０の行を参照する。ＤＬ．ＴＣＣＨ．ＦＬＡＳＨおよびＤＬ．ＴＣＣＨ．ＲＥＧＵＬＡＲセグメント［６２］はアップリンクフレーミングフォーマットを用いる。ＤＬ．ＴＣＣＨ．ＦＬＡＳＨセグメントの「ＵＬ．ＴＣＨ割当０」フィールドはＵＬ．ＴＣＨセグメント［７６］に対する割当を指定し、ＵＬ．ＴＣＨセグメント［０］への割当られたｗｔＯｎＭａｓｋは０ｂ１００である。従って、割当られたＷＴのｗｔＯｎＭａｓｋは０ｂ１００または０ｂ１１１のいずれかになり得る。ＤＬ．ＴＣＣＨ．ＲＥＧＵＬＡＲセグメントの「ＵＬ．ＴＣＨ割当０」フィールドはＵＬ．ＴＣＨセグメント［７５］に対する割当を指定し、「ＵＬ．ＴＣＨ割当０」フィールドの「オンマスク」サブフィールドに従って０ｂ１００または０ｂ００１のいずれかがＵＬ．ＴＣＨ［７５］への割り当てられるｗｔＯｎＭａｓｋとなる。「オンマスク」サブフィールドが０の場合、割当られるｗｔＯｎＭａｓｋは０ｂ１００である。従って、割当られたＷＴのｗｔＯｎＭａｓｋは０ｂ１００または０ｂ１１１のいずれかになり得る。「オンマスク」サブフィールドが１の場合、割当られたｗｔＯｎＭａｓｋは０ｂ００１である。従って、割当られたＷＴのｗｔＯｎＭａｓｋは０ｂ００１または０ｂ１１１のいずれかになり得る。「ＵＬ．ＴＣＨ割当１」フィールドはない。２つの割当られたＵＬ．ＴＣＨセグメントは双方ともＤＬ．ＴＣＣＨセグメントを割当るのと同じビーコンスロットで始まることに留意のこと。
【００８９】
代表的な実施例の構造について説明する。アップリンクフレーミングフォーマットが用いられる場合、ＤＬ．ＴＣＣＨ．ＦＬＡＳＨチャンネルセグメントは最大１つのアップリンクトラヒックチャネル割当を搬送し、ダウンリンクトラヒックチャネル割当は搬送しない。アップリンクフレーミングフォーマットが用いられる場合、ＤＬ．ＴＣＣＨ．ＲＥＧＵＬＡＲチャンネルセグメントは最大２つのダウンリンクトラヒックチャネル割当および最大１つのアップリンクトラヒックチャネル割当を搬送する。
【００９０】
ダウンリンクフレーミングフォーマットが用いられる場合、ＤＬ．ＴＣＣＨ．ＦＬＡＳＨチャンネルセグメントは最大１つのダウンリンクトラヒックチャネル割当を搬送し、アップリンクトラヒックチャネル割当は搬送しない。ダウンリンクフレーミング形式が用いられる場合、ＤＬ．ＴＣＣＨ．ＲＥＧＵＬＡＲチャンネルセグメントは最大１つのダウンリンクトラヒックチャネル割当および最大２つのアップリンクトラヒックチャネル割当を搬送する。
【００９１】
本代表的実施例において、ビーコンスロット内に、６４個のフラッシュ割当セグメントおよび６４個の標準割当セグメントがあり、例えば、表７００と表８００に従って、各割当セグメントは構造内の１つ以上の対応するトラヒックチャネルへの固定のマッピングを有する。
【００９２】
各フラッシュトラヒックチャネル割当はＤＣＣＨスプリットトーンモードでの動作に対応する複数のｗｔＯｎＭａｓｋの固定の１つに関係づけられる。各標準トラヒックチャネル割当はＤＣＣＨスプリットトーンモードでの動作に対応する２つのｗｔＯｎＭａｓｋのいずれかに関係づけられうる。標準トラヒックチャネル割当に対応する標準割当メッセージは２つの可能な値を区別するための単一ビットのオンマスク指標値を含む。スプリットトーンモードで動作する無線端末はオン状態識別子および指標マスクビットの双方が、割当がそれ自体に向けられることを示していると判定する必要がある。
【００９３】
フルトーンモードで動作する無線端末は割当がそれ自体に向けられると判定する際にオンマスク指標を用いる必要がない。メッセージに含まれるオン状態識別子の復号で十分である。
【００９４】
図９は図５の代表的基地局５０２および代表的無線端末５０４を例示する図面９００である。ダウンリンクフレーミングフォーマットが破線枠９０１で示すように割当通知信号のために使われている。トラヒックチャネルに対する代表的フラッシュ割当メッセージ９０６は対応するダウンリンクトラヒックチャネルセグメントに対する割当を搬送する。代表的フラッシュ割当メッセージ９０６は５ビットのオン識別子フィールド９１０内に５ビットの無線端末オン識別子の値を含む。トラヒックチャネルに対する代表的標準割当メッセージ９０８は対応するダウンリンクトラヒックチャネルセグメントに対する第１の割当９１２、対応するアップリンクトラヒックチャネルセグメントに対する第２の割当９１８、対応するアップリンクトラヒックチャネルセグメントに対する第３の割当９２４を含む。各割当（第１  ９１２、第２  ９１８、第３  ９２４）は５ビットのオン識別子フィールド（９１４、９２０、９２６）内に５ビットの無線端末のオン識別子の値を、および１ビットのｗｔＯｎＭａｓｋ識別子フィールド（９１６、９２２、９２８）内に１ビットのｗｔＯｎＭａｓｋ識別子の値を含む。
【００９５】
いくつかの実施例において、ダウンリンクフレーミングフォーマットが用いられる反復構造内の少なくともいくつかの期間に関して、標準割当メッセージ９０８は、例えば、表７００および表８００の代表的構造に示すように、第１、第２、および第３の割当の予め定められたサブセットに対する割当機会を含む。
【００９６】
図１０は図５の代表的基地局５０２および代表的無線端末５０４を例示する図面１０００である。アップリンクフレーミングフォーマットが破線枠１００１で示すように割当通知信号のために使われている。トラヒックチャネルに対する代表的フラッシュ割当メッセージ１００６は対応するアップリンクトラヒックチャネルセグメントに対する割当を搬送する。代表的フラッシュ割当メッセージ１００６は５ビットのオン識別子フィールド１０１０内に５ビットの無線端末オン識別子の値を含む。トラヒックチャネルに対する、代表的標準割当メッセージ１００８は対応するダウンリンクトラヒックチャネルセグメントに対する第１の割当１０１２、対応するダウンリンクトラヒックチャネルセグメントに対する第２の割当１０１８、対応するアップリンクトラヒックチャネルセグメントに対する第３の割当１０２４を含む。各割当（第１  １０１２、第２  １０１８、第３  １０２４）は５ビットのオン識別子フィールド（１０１４、１０２０、１０２６）内に５ビットの無線端末のオン識別子の値を、および１ビットのｗｔＯｎＭａｓｋ識別子フィールド（１０１６、１０２２、１０２８）内に１ビットのｗｔＯｎＭａｓｋ識別子の値を含む。
【００９７】
いくつかの実施例において、アップリンクフレーミングフォーマットが用いられる反復構造内の少なくともいくつかの期間において、標準割当メッセージ１００８は、例えば、表７００および表８００の代表的構造に示すように、第１、第２、および第３の割当の予め定められたサブセットに対する割当機会を含む。
【００９８】
図１１は種々の実施例に従って、基地局を動作させる代表的方法のフローチャート１１００の図面である。この代表的方法は基地局が電源を投入され初期化されるステップ１１０２で始まる。動作は開始ステップ１１０２からステップ１１０４へ、接続ノードＡ１１０６を介してステップ１１２２へ、および接続ノードＢ１１０８を介してステップ１１４０へ進む。
【００９９】
ステップ１１０４において、基地局はオン動作状態に遷移されることになる無線端末があるかどうかを判定する。そのような各無線端末の各々について、動作はステップ１１０４からステップ１１１０へ進む。ステップ１１１０において、基地局は無線端末オン状態識別子、例えば５ビットの識別子、および対応するオン状態マスク値を利用可能なりソースから無線端末に割り付ける。ステップ１１１０はステップ１１１２、１１１４、１１１６および１１１８を含む。ステップ１１１２において、基地局は無線端末がフルトーン専用制御チャネルフォーマットモードで、またはスプリットトーン専用制御チャネルフォーマットモードで動作することになるかを判定する。無線端末がフルトーンモードで動作することになる場合、動作はステップ１１１２からステップ１１１４へ進み、無線端末がスプリットトーンフォーマットモードで動作することになる場合、動作はステップ１１１２からステップ１１１６へ進む。ステップ１１１４において、基地局は無線端末にオン状態識別子およびオンマスク値＝１１１を割り付ける。フルトーンフォーマットモードにおいて、無線端末の基地局割当オン状態識別子は基地局接続点に関して他の無線端末と共有されない。ステップ１１１６において、基地局は無線端末に無線端末オン状態識別子および００１、０１０、１００の１つであるオンマスク値を割り付ける。スプリットトーンフォーマットモードにおいて、無線端末の基地局割当オン状態識別子は基地局接続点に関して他の無線端末と共有されるかもしれないし時には共有される。例えばスプリットトーンモードにある３個の異なる無線端末はそれぞれ同じオン状態識別子を割当られるかもしれないが、異なるオンマスクを割当られるかもしれない。動作はステップ１１１４またはステップ１１１６からステップ１１１８へ進む。ステップ１１１８において、基地局は前記無線端末オン状態識別子および前記オン状態マスク値を伝達する情報を含む状態遷移メッセージを生成する。
【０１００】
動作はステップ１１１０からステップ１１２０へ進む。ステップ１１２０において、基地局は前記生成された状態遷移メッセージを前記無線端末へ送信する。動作はステップ１１２０からステップ１１０４へ進む。
【０１０１】
各標準割当通知信号機会に対して、動作は接続ノードＡ１１０６を介してステップ１１２２へ進む。ステップ１１２２において、基地局は標準トラヒックチャネル割当メッセージに対する割当を決定する。ステップ１１２２はステップ１１２４、１１２６、１１２８、１１３０、１１３２、１１３４、および１１３６を含む。
【０１０２】
ステップ１１２４において、割当られる第１のトラヒックチャンネルセグメントに対して、基地局は割当を受信する無線端末を選択する。前記無線端末はフルトーンフォーマットにある無線端末の１つ、またはスプリットトーンフォーマットにある無線端末のセットの第１のサブセットに対応し、前記第１のサブセットは割当られた無線端末のオンマスクがそのセグメントに対するスプリットトーン割当の可能な値に合致する構成要素、例えば００１、０１０、および１００の予め定められた２つを含む。動作はステップ１１２４から１１２６へ進む。ステップ１１２６において、基地局はステップ１１２４で選択された無線端末に対応する無線端末のオン状態識別子を決定する。選択された無線端末がスプリットトーンフォーマットにある場合、基地局はセグメントに対して選択された無線端末の無線端末オンマスクへマッピングする、例えば１ビットの無線端末のオンマスク識別子を決定する。
【０１０３】
ステップ１１２８において、割当られる第２のトラヒックチャンネルセグメントに対して、基地局は割当を受信する無線端末を選択する。前記無線端末はフルトーンフォーマットにある無線端末の１つ、またはスプリットトーンフォーマットにある無線端末のセットの第２のサブセットに対応し、前記第２のサブセットは割当られた無線端末のオンマスクがそのセグメントに対するスプリットトーン割当の可能な値に合致する構成要素、例えば００１、０１０、および１００の予め定められた２つを含む。動作はステップ１１２８からステップ１１３０へ進む。ステップ１１３０において、基地局はステップ１１２８で選択された無線端末に対応する無線端末のオン状態識別子を決定する。選択された無線端末がスプリットトーンフォーマットにある場合、基地局はセグメントに対して選択された無線端末の無線端末オンマスクへマッピングする、例えば１ビットの無線端末のオンマスク識別子を決定する。
【０１０４】
ステップ１１３２において、割当られる第３のトラヒックチャンネルセグメントに対して、基地局は割当を受信する無線端末を選択する。前記無線端末はフルトーンフォーマットにある無線端末の１つ、またはスプリットトーンフォーマットにある無線端末のセットの第３のサブセットに対応し、前記第３のサブセットは割当られた無線端末のオンマスクがそのセグメントに対するスプリットトーン割当の可能な値に合致する構成要素、例えば００１、０１０、および１００の予め定められた２つを含む。動作はステップ１１３２からステップ１１３４へ進む。ステップ１１３４において、基地局はステップ１１３２で選択された無線端末に対応する無線端末のオン状態識別子を決定する。選択された無線端末がスプリットトーンフォーマットにある場合、基地局はセグメントに対して選択された無線端末の無線端末オンマスクへマッピングする、例えば１ビットの無線端末のオンマスク識別子を決定する。
【０１０５】
動作はステップ１１２６、１１３０、および１１３４からステップ１１３６へ進む。ステップ１１３６において、基地局は前記決定された情報を標準割当メッセージに組み入れる。動作はステップ１１２２からステップ１１３８へ進む。ステップ１１３８において、基地局は反復ダウンリンク構造内の予め定められた時間に第１の電力レベルで前記標準割当メッセージを送信する。
【０１０６】
各フラッシュ割当通知信号機会について、動作は接続ノードＢ１１０８を介してステップ１１４０へ進む。ステップ１１４０において、基地局はフラッシュトラヒックチャネル割当メッセージに対する割当を決定する。ステップ１１４０はステップ１１４２、１１４４、および１１４６を含む。
【０１０７】
ステップ１１４２において、割当られる第４のトラヒックチャンネルセグメントに対して、基地局は割当を受信する無線端末を選択する。前記無線端末はフルトーンフォーマットにある無線端末の１つ、またはスプリットトーンフォーマットにある無線端末のセットの第４のサブセットに対応し、前記第４のサブセットは割当られた無線端末のオンマスクがそのセグメントに対するスプリットトーン割当の可能な値に合致する構成要素、例えば００１、０１０、および１００の予め定められた１つを含む。動作はステップ１１４２からステップ１１４４へ進む。ステップ１１４４において、基地局はステップ１１４２の選択された無線端末に対応する無線端末のオン状態識別子を決定する。動作はステップ１１４４から１１４６へ進む。ステップ１１４６において、基地局はステップ１１４４からの前記決定された情報をフラッシュ割当メッセージに組み込む。
【０１０８】
動作はステップ１１４０から１１４８へ進む。ステップ１１４８において、基地局は反復ダウンリンク構造内の予め定められた時間に前記第１の電力レベルよりも高い第２の電力レベルで前記フラッシュ割当メッセージを送信する。
【０１０９】
図１２は種々の実施例に従って、基地局を動作させる代表的１方法のフローチャート１２００である。動作は基地局が電源を投入され初期化されるステップ１２０２で始まる。動作は開始ステップ１２０２からステップ１２０４へ進む。いくつかの実施例において、動作は開始ステップ１２０２からステップ１２０６へ進むことがある。
【０１１０】
ステップ１２０４において、基地局は基地局割当無線端末識別子および情報ビットの第１の数によって表される対応マスク値を無線端末に伝達する。例えば、基地局割当無線端末識別子および対応マスク値は無線端末へ送信される状態遷移メッセージを介して伝達されるかもしれない。
【０１１１】
ステップ１２０６において、このステップが実行されると、基地局は同じ基地局割当無線端末識別子および異なる対応マスク値を第２の無線端末へ伝達する。前記第２の無線端末は併行するセグメント割当の復元識別動作に用いられるための同じ基地局割当無線端末識別子を割当られる。例えば、代表的な１実施例において、ステップ１２０４において、基地局は５ビットの基地局割当オン状態無線端末識別子＝００００１および３ビットのオンマスク値＝００１を無線端末に伝達済であるかもしれない。また、ステップ１２０６において、基地局は５ビット幅の基地局割当無線端末オン状態識別子＝００００１および３ビット幅のオンマスク値＝０１０を第２の無線端末に伝達済であるかもしれない。例を続けると、代替的に、ステップ１２０４において基地局が５ビットの基地局割当オン状態無線端末識別子＝００００１および３ビットのオンマスク値＝１１１を無線端末に伝達済の場合、第２の基地局は同じ基地局割当無線端末識別子を共有できないだろう。このオンマスク値＝１１１は無線端末がそのオン状態識別子を他の無線端末と基地局接続点を用いて共有しないモードで動作することを示す。オンマスク値が４つの可能な値、例えば（１１１、００１、０１０、１００）、の１つであり得るいくつかの実施例において、割当られたオンマスク値は２ビット幅のフィールドのパターンを介して伝達される。
【０１１２】
動作はステップ１２０４からステップ１２０８へ進む。ステップ１２０８において、基地局は前記無線端末識別子およびマスク識別子の値を含む第１の形式の割当メッセージ、例えば標準形式の割当メッセージ、を前記無線端末に伝達する。いくつかの実施例において、マスク識別子の値は情報ビットの第２の数によって示される。前記第２の数は前記第１の数より小さい。代表的１実施例において、マスク値は２ビット幅のフィールドで伝達され、一方マスク識別子の値は１ビット幅のフィールドで伝達される。
【０１１３】
いくつかの実施例において、動作はステップ１２０８からステップ１２１０へ進むことがある。ステップ１２１０において、基地局は前記無線端末識別子を含むがマスク識別子の値を含まない第２の形式の割当メッセージ、例えばフラッシュ形式の割当メッセージ、を前記無線端末に伝達する。いくつかの実施例において、第１の形式の割当メッセージは前記第２の形式の割当メッセージより低い電力レベルで伝達される。
【０１１４】
種々の実施例において、第１および第２の形式の割当メッセージはトラヒックチャネル割当メッセージである。少なくともいくつかの第１の形式の割当メッセージに対するそのようないくつかの実施例において、第１の形式の割当メッセージは複数の、例えば２つまたは３つの、トラヒックチャネルセグメントに対する割当を搬送する。前記複数の割当の１つは前記無線端末識別子および前記マスク識別子の値によって搬送され、第２の形式の割当メッセージは単一のトラヒックチャネルセグメントに対する割当を搬送する。
【０１１５】
いくつかの実施例において、マスク値は前記無線端末に割当られるかもしれない反復トラヒックチャネル構造内の潜在的トラヒックチャネルセグメントを識別する。そのようないくつかの実施例において、前記マスク値が第１の予め定められたパターン、例えば１１１に合致する場合、反復トラヒックチャネル構造の１セットのトラヒックチャネルセグメントからの任意のトラヒックチャネルセグメントが無線端末に割当られるかもしれないし、マスク値が第２の予め定められたパターン、例えば００１に合致する場合、トラヒックチャネルセグメントの前記セットの第１の予め定められたサブセットが前記無線端末に割当られるかもしれないし、前記マスク値が第３の予め定められたパターン、例えば０１０に合致する場合、前記トラヒックチャネルセグメントの第２の予め定められたサブセットが前記無線端末に割当られるかもしれない。そのようないくつかの実施例において、第１の予め定められたサブセットおよび第２の予め定められたサブセットは部分的にオーバラップしている。いくつかの実施例において、マスク値が第４の予め定められた値、例えば１００に合致する場合、トラヒックチャネルセグメントの前記セットの第３の予め定められたサブセットが前記無線端末に割当られるかもしれない。前記第３の予め定められたサブセットは前記第１および第２の予め定められたサブセットと部分的にオーバラップしている。
【０１１６】
種々の実施例において、マスク識別子の値はセグメントに関係づけられるかもしれない２つのマスク値を区別する単一情報ビットで表される。
【０１１７】
図１３は種々の実施例に従って、無線端末を動作させる代表的１方法のフローチャート１３００である。代表的方法は無線端末が電源を投入され初期化されるステップ１３０２で始まる。動作は開始ステップ１３０２からステップ１３０４へ進む。ステップ１３０４において、無線端末は基地局から第１の値の基地局割当無線端末識別子および対応マスク値を受信する。前記マスク値は情報ビットの第１の数によって表される。いくつかの実施例において、マスク識別子の値は情報ビットの第２の数によって表される。第２の数は第１の数より小さい。代表的な１実施例において、４つの可能な値、例えば１１１、００１、０１０、および１００、の１つを取り得るマスク値、が２ビット幅のフィールドを介して搬送され、マスク識別子の値は１ビット幅のフィールドによって搬送される。いくつかの実施例において、マスク値は３ビット幅のフィールドを介して搬送され、マスク識別子の値は１ビット幅のフィールドによって搬送される。動作はステップ１３０４からステップ１３０６へ進む。いくつかの実施例においてはステップ１３１６へ進む。
【０１１８】
ステップ１３０６において、無線端末は前記基地局から、無線端末識別子およびマスク識別子の値を含む第１の形式の割当メッセージを受信する。動作はステップ１３０６からステップ１３０８へ進む。ステップ１３０８において、無線端末は前記受信された第１の形式の割当メッセージからその割当がその無線端末に向けられているか否かを識別する。無線端末がステップ１３０８において、ステップ１３０６において受信されたメッセージの割当がその無線端末に向けられていると決定する場合、動作はステップ１３０８からステップ１３１０へ進む。また、動作は付加的な第１の形式の割当メッセージを受信するためにステップ１３０８からステップ１３０６へ進む。
【０１１９】
ステップ１３１０において、無線端末は割当スロットがアップリンクトラヒックチャンネルセグメントに対応するかまたはダウンリンクトラヒックチャンネルセグメントに対応するかを判定する。無線端末に向けられた割当がアップリンクトラヒックチャネルセグメントに対応する場合、動作はステップ１３１０からステップ１３１２へ進む。無線端末に向けられた割当がダウンリンクトラヒックチャネルセグメントに対応する場合、動作はステップ１３１４へ進む。ステップ１３１２において、無線端末は符号化された情報を、予め定められた関連づけによって前記受信された割当と関連づけられたアップリンクトラヒックチャネルセグメントを用いて送信する。ステップ１３１４において、無線端末は予め定められた関連づけによって前記受信された割当と関連づけられたダウンリンクトラヒックチャネルセグメントを介して伝達された符号化された情報を受信する。
【０１２０】
ステップ１３１６において、無線端末は無線端末識別子を含むが、マスク識別子の値を含まない第２の形式の割当メッセージを受信する。動作はステップ１３１６からステップ１３１８へ進む。ステップ１３１８において、無線端末は割当がその無線端末に向けられているか否かを前記受信された第２の形式の割当メッセージから識別する。例えば、ステップ１３０４において受信された基地局割当無線端末識別子がステップ１３１６において受信された基地局割当無線端末識別子と合致する場合、その割当はその無線端末に向けられている。ステップ１３１８において、無線端末がステップ１３１６において受信されたメッセージの割当がその無線端末に向けられていると決定した場合、動作はステップ１３１８からステップ１３２０へ進む。また、動作は付加的な第２の形式の割当メッセージを受信するために、ステップ１３１８からステップ１３１６へ進む。
【０１２１】
ステップ１３２０において、無線端末は割当スロットがアップリンクトラヒックチャネルセグメントに対応しているかまたはダウンリンクトラヒックチャネルセグメントに対応しているかを判定する。無線端末に向けられた割当がアップリンクトラヒックチャネルセグメントに対応する場合、動作はステップ１３２０からステップ１３２２へ進む。無線端末に向けられた割当がダウンリンクトラヒックチャネルセグメントに対応する場合、動作はステップ１３２４へ進む。ステップ１３２２において、無線端末は符号化された情報を、予め定められた関連づけによって前記受信された割当に関連づけられたアップリンクトラヒックチャネルセグメントを用いて送信する。ステップ１３２４において、無線端末は予め定められた関連づけによって前記受信された割当に関連づけられたダウンリンクトラヒックチャネルセグメントを介して伝達された符号化された情報を受信する。
【０１２２】
前記受信マスク値が複数の予め定められたマスク値のセットの１つである場合のいくつかの実施例において、前記受信された割当が前記無線端末に向けられているか否かを識別する前記ステップ１３０８は以下を含む。すなわち、（ｉ）ステップ１３０４からの前記受信された基地局割当無線端末識別子がステップ１３０６の前記受信された第１の形式の割当メッセージ内の前記無線端末識別子と合致するかどうかを決定すること、および（ｉｉ）ステップ１３０６からの前記受信割当メッセージ内の前記無線端末識別子がステップ１３０４からの受信マスク値を識別するかどうかを決定すること。代表的な１実施例において、複数の予め定められたマスク値のセットは｛００１、０１０、１００｝である。
【０１２３】
前記受信マスク値が、複数の予め定められたマスク値前記セットに含まれない第１の予め定められたマスク値である場合のいくつかの実施例において、前記受信された割当が前記無線端末に向けられているか否かを識別する前記ステップ１３０８は以下を含む。すなわち、ステップ１３０４からの前記受信された基地局割当無線端末識別子がステップ１３０６の前記受信された第１の形式の割当メッセージ内の前記無線端末識別子と合致するかどうかを決定すること。ここで、前記決定は前記割当メッセージ内で受信された前記マスク識別子の値を用いることを要しない。代表的な１実施例において、第１の予め定められたマスク値＝１１１であり、複数の予め定められたマスク値のセットは｛００１、０１０、１００｝である。
【０１２４】
いくつかの実施例において、無線端末はステップ１３０４からの受信マスク値の関数として受信するために割当メッセージのサブセットを決定する。いくつかの実施例において、無線端末はステップ１３０４からの受信マスク値の関数として受信するためにその割当メッセージのサブセットを決定する。例えば、代表的な１実施例において、受信端末がステップ１３０４でマスク値＝１１１を受信する場合、その無線端末は割当信号の各々を受信し復元することを試みるべきである。任意の割当が例えばフルトーンフォーマットのＤＣＣＨ動作モードにあるその無線端末に向けられるかもしれないからである。この例を続けると、無線端末がステップ１３０４において００１、０１０、および１００の１つであるマスク値を受信する場合、その無線端末は割当信号を選択的に受信および／または処理できる、および時には選択的に受信および／または処理する。予め定められた実施される構造によって、いくつかの割当はその無線端末に向けられることができ、一方他はその無線端末に向けられることができないからである。そのようないくつかの実施例において、無線端末は割当信号の受信、および／または復元動作を制限することによって、例えば電力、処理時間、および／またはメモリー使用量のようなリソースを保存できる。
【０１２５】
いくつかの実施例において、ステップ１３０４からの前記受信マスク値が第１の予め定められたパターン、例えば１１１と合致する場合、反復トラヒックチャネル構造内のトラヒックチャネルセグメントのセットからいずれかのトラヒックチャネルセグメントが無線端末に割当られるかもしれない。またいくつかの実施例において、そのマスクが第２の予め定められたパターン、例えば００１と合致する場合、トラヒックチャネルセグメントの前記セットの第１の予め定められたサブセットが前記無線端末に割当られるかもしれない。また、いくつかの実施例において、そのマスクが第３の予め定められたパターン、例えば０１０と合致する場合、トラヒックチャネルセグメントの第２の予め定められたサブセットが前記無線端末に割当られるかもしれない。そのようないくつかの実施例において、第１の予め定められたサブセットおよび第２の予め定められたサブセットは部分的にオーバラップしている。いくつかの実施例において、前記マスクが第４の予め定められたパターン、例えば１００と合致する場合、前記トラヒックチャネルセグメントの第３の予め定められたサブセットが前記無線端末に割当られるかもしれない。ここで前記第３の予め定められたサブセットは前記第１および第２の予め定められたサブセットと部分的にオーバラップしている。
【０１２６】
図１４は種々の実施例に従って実施される代表的基地局１４００の図面である。代表的基地局１４００は図１のシステム１００の任意の基地局であるかもしれない。代表的基地局１４００はバス１４１２を介して互いに接続される受信機モジュール１４０２、送信機モジュール１４０４、プロセッサ１４０６、Ｉ／Ｏデバイス１４０８、およびメモリー１４１０を含む。このバスを介して種々の要素がデータおよび情報を交換するかもしれない。メモリー１４１０はルーチン１４１８およびデータ／情報１４２０を含む。プロセッサ１４０６、例えばＣＰＵはルーチン１４１８を実行し、基地局の動作を制御し方法を実施するためにメモリー１４１０内のデータ／情報１４２０を用いる。
【０１２７】
受信機モジュール１４０２、例えばＯＦＤＭ受信機は基地局が無線端末からのアップリンク信号を受信する受信アンテナ１４０３に接続される。アップリンク信号は、例えば登録要求信号、動作状態変更要求、トラヒックチャネルリソースを求める要求を含むアップリンク専用制御チャネル信号、およびアップリンクトラヒックチャネルセグメント信号を含む。受信機モジュール１４０２は少なくともいくつかの受信アップリンク信号を復号するための復号器１４１４を含む。
【０１２８】
送信機モジュール１４０４、例えばＯＦＤＭ送信機は基地局が無線端末へダウンリンク信号を送信する送信アンテナ１４０５に接続され、ダウンリンク信号は、例えばタイミング／同期信号、基地局割当無線端末識別子およびマスク値を搬送する制御信号を含む制御信号、例えば状態遷移メッセージ信号、第１の形式の割当信号、第２の形式の割当信号、並びにダウンリンクトラヒックチャンネルセグメント信号を含む。送信機モジュール１４０４は少なくともいくつかの送信されるダウンリンク信号を符号化する符号器１４１６を含む。
【０１２９】
Ｉ／Ｏインターフェース１４０８は基地局１４００を他のネットワークノード、例えば他の基地局、ルータ、ＡＡＡサーバ、ホームエージェントノード、種々のサーバ等と、および／またはインターネットと接続する。入出力インターフェース１４０８により、基地局１４００の接続点を用いる無線端末が、異なる基地局の接続点を用いる異なるセルに位置するピアノードとの通信セッションに参加することが可能となる。
【０１３０】
ルーチン１４１８は通信ルーチン１４２２および基地局制御ルーチン１４２４を含む。通信ルーチン１４２２は基地局１４００によって用いられる種々の通信プロトコルを実施する。基地局制御ルーチン１４２４はスケジューラモジュール１４２６、無線端末制御メッセージ生成モジュール１４２８、第１の形式の割当メッセージ生成モジュール１４３０、第２の形式の割当メッセージ生成モジュール１４３２、電力レベル制御モジュール１４３４、および無線端末動作モード管理モジュール１４３６を含む。
【０１３１】
スケジューラモジュール１４２６、例えばスケジューラ、は実施されるスケジューリングポリシーに従って無線端末へのアップリンクおよびダウンリンクセグメントのスケジューリングを行う。モジュール１４２６のスケジューリングはアップリンクおよびダウンリンクトラヒックチャネルセグメントのスケジューリングを含む。いくつかのセグメントは、例えば無線端末に割当られたマスク値の関数として、基地局接続点を用いる特定の無線端末にスケジューリングされるための利用はできないかもしれないことがある。
【０１３２】
無線端末制御メッセージ生成モジュール１４２８は無線端末に向けられるメッセージ情報を生成する。前記メッセージ情報は基地局割当無線端末識別子および対応マスク値を含む。いくつかの実施例において、基地局割当無線端末識別子および対応マスク値は同じメッセージ、例えば１つの状態遷移メッセージを介して伝達される。そのような代表的１実施例において、基地局割当無線端末識別子は５ビット幅のフィールドで伝達され、対応マスク値は２ビット幅のフィールドで伝達される。そのような代表的１実施例において、基地局割当識別子は１・・３１の範囲の値であり、２ビット幅のフィールドで伝達される対応マスク値は４つの異なる３ビット幅パターン、１１１、００１、０１０、および１００の１つである。生成された制御メッセージ１の情報１４５２および生成された制御メッセージＮの情報１４５４はモジュール１４２８からの出力を表す。
【０１３３】
無線端末制御メッセージ生成モジュール１４２８は第２の無線端末に向けられる同じ基地局割当無線端末識別子および異なる対応マスク値を含むメッセージ情報を生成する。前記無線端末および前記第２の無線端末は併行して動作するセグメント情報復元動作に用いられる同じ基地局割当無線端末識別子を割当られる。例えば、ＷＴ  Ａは基地局割当無線端末識別子＝０００１１およびマスク＝００１であり、一方ＷＴ  Ｂは割当無線端末識別子＝０００１１およびマスク＝０１０であるかもしれない。
【０１３４】
第１の形式の割当メッセージ生成モジュール１４３０は無線端末識別子およびマスク識別子の値を含む第１の形式の割当メッセージを生成する。いくつかの実施例において、マスク値は情報ビットの第１の数によって表され、マスク識別子の値は情報ビットの第２の数によって表される。情報ビットの前記第２の数は前記第１の数より小さい。例えば、代表的１実施例において、状態遷移メッセージのマスク値のフィールドは４つの可能な値（ビットパターン１１１、ビットパターン００１、ビットパターン０１０、またはビットパターン１００）の１つを伝達する２ビット幅であり、一方第１の形式の割当メッセージのマスク識別子のフィールドは２つの可能な値の１つを伝達する１ビット幅である。いくつかの実施例において、第１の形式の割当メッセージは標準割当メッセージを指す。メッセージ１の情報１４６０およびメッセージＮの情報１４５４はモジュール１４３０からの出力を表す。
【０１３５】
第２の形式の割当メッセージ生成モジュール１４３２は無線端末識別子を含むがマスク識別子の値を含まない第２の形式の割当メッセージを生成する。いくつかの実施例において、第２の形式の割当メッセージはフラッシュ割当メッセージを指す。メッセージ１の情報１４７６およびメッセージＮの情報１４８０はモジュール１４３４からの出力を表す。
【０１３６】
電力レベル制御モジュール１４３４は第１の形式の割当メッセージおよび第２の形式の割当メッセージの相対伝送電力を、前記第１の形式の割当メッセージが第２の形式の割当メッセージより低い電力レベルで送信されるように制御することを含む電力制御を実行する。電力レベル制御モジュール１４３４は電力レベル情報１４４６を用いる。
【０１３７】
無線端末動作モード管理モジュール１４３６は基地局接続点を用いる複数の無線端末に対する動作モードを管理する。管理モジュール１４３６は無線端末に一時的に割当るための基地局割当無線端末識別子および対応マスク値を例えば利用可能なリソースから、決定する。例えばこの無線端末はオン動作状態、例えばその無線端末がアップリンクおよび／またはダウンリンクトラヒックチャネルセグメントを割当られるかもしれない動作状態、へ遷移されることになる無線端末である。この代表的な実施例において、マスクの値はこの無線端末がオン状態動作の第１または第２のモードのいずれにあるかを決定する。ここで、オン状態動作の異なるモードにおける異なる量のリソースが利用可能である。例えば、代表的１実施例において、マスク＝１１１の場合、無線端末は専用制御チャネル動作のフルトーンフォーマットモードへ遷移され、一方マスクが００１、１００、および０１０の１つである場合、無線端末はスプリットトーンフォーマットの動作モードへ遷移されることになる。ここでフルトーンフォーマット動作モードにおいてはスプリットトーンフォーマット動作モードにおけるよりもより多くのリソースが利用可能である。管理モジュール１４３６によってなされた決定は無線端末制御メッセージ生成モジュール１４２８に転送される。
【０１３８】
データ／情報１４２０はマスクへのセグメント関連づけ情報（セグメント１／マスク関連づけ情報１４４２、・・・、セグメントＭ／マスク関連づけ情報１４４４）を含む格納されたトラヒックチャネル構造情報１４３８、格納された割当／トラヒックチャネルセグメントマッピング情報１４４０、および電力レベル情報１４４６を含む。いくつかの代表的な格納されたトラヒックチャネル構造情報１４３８は図７および図８の情報の少なくともいくつかを含む。例えば、セグメント／マスク関連づけ情報に関して、第２の形式の割当に対して列８０６および列８０８の情報を考え、および第２の形式の割当に対して列（８１０および８１２）並びに列（８１４および８１６）の情報を考える。いくつかの代表的な格納された割当／トラヒックセグメントマッピング情報１４４０は図７および図８の少なくともいくつかの情報を含む。図７および図８の例において、各トラヒックチャネルセグメントは予め定められた関係に従って割当スロットに関係づけられる。
【０１３９】
電力レベル情報１４４６は第１の形式の割当情報メッセージ１４４８の送信電力レベルに関係する電力レベル情報および第２の形式の割当情報メッセージ１４５０の送信電力レベルに関係する電力レベル情報を含む。データ／情報１４２０は生成された制御メッセージ情報（生成された制御メッセージ１の情報１４５２、・・・、生成された制御メッセージＮの情報１４５４）をも含む。生成された制御メッセージ１の情報１４５２は基地局割当無線端末識別子１４５６および対応マスク値１４５８を含む。
【０１４０】
データ／情報１４２０は生成された第１の形式の割当メッセージ情報（生成された第１の形式の割当メッセージ、メッセージ１の情報１４６０、・・・、生成された第１の形式の割当メッセージ、メッセージｍの情報１４７４）をも含む。生成された第１の形式の割当メッセージ、メッセージ１の情報１４６０はメッセージ１４６２で搬送されている第１の割当に対応する無線端末識別子およびメッセージ１４６４で搬送されている第１の割当に対応する対応マスク識別子の値を含む。生成された第１の形式の割当メッセージ、メッセージ１の情報１４６０はいくつかの実施例において、メッセージ１４６６で搬送されている第２の割当に対応する無線端末識別子、およびメッセージ１４６８で搬送されている第２の割当に対応する対応マスク識別子の値、並びに／またはメッセージ１４７０で搬送されている第３の割当に対応する無線端末識別子およびメッセージ１４７２で搬送されている第３の割当に対応する対応マスク識別子の値をも含むことがある。
【０１４１】
データ／情報１４２０は生成された第２の形式の割当メッセージ情報（生成された第２の形式の割当メッセージ、メッセージ１の情報１４７６、・・・、生成された第２の形式の割当メッセージ、メッセージｎの情報１４８０）をも含む。生成された第２の形式の割当メッセージ、メッセージ１の情報１４７６はその割当に対応する無線端末識別子１４７８を含むが、マスク識別子を含まない。第２の形式の割当メッセージの伝達された無線端末識別子１４７６は単独または格納されたタイミング構造情報と組み合わせて、無線端末が第２の形式の割当がそれ自身に向けられているか否かを決定するのに十分である。
【０１４２】
データ／情報１４２０は複数セットの無線端末、例えば現在基地局１４００の接続点を用いている複数の無線端末のデータ／情報（無線端末１のデータ／情報１４８２、・・・、無線端末Ｋのデータ／情報１４８４）、をも含む。無線端末１のデータ／情報１４８２は、例えば、アップリンクおよび／またはダウンリンクトラヒックチャネルセグメントで伝達された無線端末１に関係するユーザデータ、一時的にＷＴ１に割当られた基地局割当無線端末識別子、一時的に無線端末１に割当られた対応マスク、そのマスクに関係する動作モード、例えば第２のモードに比較してより多くのトラヒックチャネルセグメントがＷＴ１に対する割り付けに利用可能である第１の動作モード、無線端末１に関係づけられた種々の状態情報、および／または無線端末１に関係するセッション情報を含む。
【０１４３】
いくつかの実施例において、第１および第２の形式の割当メッセージはトラヒックチャネル割当メッセージである。種々の実施例において、第１の形式の割当メッセージは複数のトラヒックチャネルセグメント、例えば最大３つのトラヒックチャネルセグメントに対する割当を搬送でき、第２の形式の割当は単一のトラヒックチャネルセグメントに対する割当を搬送する。
【０１４４】
種々の実施例において、トラヒックチャネル構造情報１４３８は反復トラヒックチャネル構造を定義し、マスク値は無線端末に割当られるかもしれない潜在的トラヒックチャネルセグメントを識別する。例えば、基地局が図７および図８のトラヒックチャネル構造情報を用いるとする。図８Ａを参照して、無線端末がマスク＝１１１または００１を割当られる場合、無線端末はインデックス番号＝３を有するアップリンクトラヒックチャネルセグメントを割当られるかもしれない。しかし、無線端末がマスク＝０１０または１００を割当られる場合、無線端末はインデックス番号＝３を有するアップリンクトラヒックチャネルセグメントを割当られることが出来ない。この例を続けると、無線端末がマスク＝１１１または００１または０１０を割当られる場合、無線端末はインデックス番号＝４を有するアップリンクトラヒックチャネルセグメントを割当られるかもしれない。しかし、無線端末がマスク＝１００を割当られる場合、無線端末はインデックス番号＝４を有するアップリンクトラヒックチャネルセグメントを割当られることが出来ない。
【０１４５】
いくつかの実施例において、ある無線端末に割当られたマスク値が第１の予め定められたパターン、例えば１１１に合致する場合、反復トラヒックチャネル構造のトラヒックチャネルセグメントのセットからの任意のトラヒックチャネルセグメントがその無線端末に割当られるかもしれない。また、マスク値が第２の予め定められたパターン、例えば００１に合致する場合、反復トラヒックチャネル構造のトラヒックチャネルセグメントの前記セットの第１の予め定められたサブセットがその無線端末に割当られるかもしれない。またマスク値が第３の予め定められたパターン、例えば０１０に合致する場合、反復トラヒックチャネル構造のトラヒックチャネルセグメントの前記セットの第２の予め定められたサブセットがその無線端末に割当られるかもしれない。そのようないくつかの実施例において、第１の予め定められたサブセットおよび第２の予め定められたサブセットは部分的にオーバラップしている。いくつかの実施例において、マスク値が第４の予め定められたパターン、例えば１００に合致する場合、反復トラヒックチャネル構造のトラヒックチャネルセグメントの前記セットの第３の予め定められたサブセットがその無線端末に割当られるかもしれない。前記第３の予め定められたサブセットは前記第１および第２の予め定められたサブセットと部分的にオーバラップしている。
【０１４６】
種々の実施例において、マスク識別子の値は単一の情報ビットで表される。前記単一ビットは割当に関係づけられるかもしれない潜在的な２つのマスク値を区別する。例えば、代表的な第１の形式の割当が図８Ａに示すようにインデックス＝４を有するアップリンクトラヒックチャンネルセグメントに対応する割当を含むとする。マスク識別子の値が第１の値、例えば０の場合、それはマスク００１を示し、一方スク識別子の値が第２の値、例えば１の場合、それはマスク０１０を示す。
【０１４７】
図１５は種々の実施例に従って実施される、代表的無線端末１５００、例えば移動ノードの図面である。代表的無線端末１５００は図１のシステム１００の任意の無線端末であるかもしれない。代表的無線端末１５００はバス１５１２を介して互いに接続される受信機モジュール１５０２、送信機モジュール１５０４、プロセッサ１５０６、ユーザＩ／Ｏデバイス１５０８、およびメモリー１５１０を含む。このバスを介して種々の要素がデータおよび情報を交換する。メモリー１５１０はルーチン１５１８およびデータ／情報１５２０を含む。プロセッサ１５０６、例えばＣＰＵは、ルーチン１５１８を実行し、基地局の動作を制御し方法を実施するためにメモリー１５１０内のデータ／情報１５２０を用いる。
【０１４８】
受信機モジュール１５０２、例えばＯＦＤＭ受信機は無線端末が基地局、例えば基地局１４００からのダウンリンク信号を受信する受信アンテナ１５０３に接続される。受信ダウンリンク信号はタイミング／同期信号、基地局割当無線端末識別子および対応マスク値を搬送する制御メッセージ信号、第１の形式の割当信号、第２の形式の割当信号、並びにダウンリンクトラヒックチャンネルセグメント信号を含む。受信機モジュール１５０２は少なくともいくつかの受信ダウンリンク信号を復号するための復号器１５１４を含む。送信モジュール１５０４、例えばＯＦＤＭ送信機は無線端末が基地局、例えば基地局１４００へアップリンク信号を送信する送信アンテナ１５０５に接続される。アップリンク信号は登録要求信号、モード遷移要求信号、アップリンクトラヒックチャネルセグメントリソースを求める要求を含むアップリンク専用制御チャネル信号、およびアップリンクトラヒックチャネルセグメント信号を含む。送信モジュール１５０４は送信されるアップリンク信号の少なくともいくつかを符号化するための符号器１５１６を含む。いくつかの実施例において、同じアンテナが送信機および受信機に対して、例えばデュプレクサモジュールと共に用いられる。
【０１４９】
ユーザＩ／Ｏデバイス１５０８は、例えばマイクロホン、カメラ、キーボード、タッチスクリーン、キーパッド、スイッチ、スピーカー、ディスプレイ等、を含む。ユーザＩ／Ｏデバイス１５０８によって、無線端末１５００のユーザがデータ／情報を入力し、出力データ／情報にアクセスし、無線端末１５００の少なくともいくつかの機能を制御し、および／またはアプリケーションを制御することが可能となる。
【０１５０】
ルーチン１５１８は通信ルーチン１５２２および無線端末制御ルーチン１５２４を含む。通信ルーチン１５２２は無線端末１５００によって用いられる種々の通信プロトコルを実施する。無線端末制御ルーチン１５２４は制御メッセージ処理モジュール１５２６、第１の形式の割当処理モジュール１５２８、第２の形式の割当メッセージ処理モジュール１５３４、アップリンクトラヒックチャネルセグメントモジュール１５３６、およびダウンリンクトラヒックチャネルセグメントモジュール１５３８を含む。
【０１５１】
制御メッセージ処理モジュール１５２６は基地局割当無線端末識別子および情報ビットの第１の数で表される対応マスク値を含む受信制御メッセージ情報を処理する。例えば、基地局割当無線端末識別子およびマスク値は状態遷移メッセージで伝達されるかもしれない。次に、モジュール１５２６はこの情報を処理し、復元された情報を、例えば後に割当メッセージを処理する際に用いるために格納する。さらに制御メッセージ処理モジュール１５２６は受信マスク値に基づいて動作モードを決定する。例えば、代表的１実施例において、マスク値は４つの潜在的マスクパターン１１１、００１、０１０、および１００の１つを搬送する２ビットフィールドを用いて搬送される。その値が１１１の場合、無線端末は第２の動作モードにあることになり、一方マスク値が００１、０１０、および１００の１つの場合、無線端末は第１の動作モードにあり、第１の動作モードよりもより多くのリソースが第２の動作モードで利用される可能性があり、例えば反復トラヒックチャネル構造におけるトラヒックチャネルセグメントの数はオン状態動作第１のモードにある無線端末と比較してオン状態動作の第２のモードにある無線端末に、より多く割当られることが可能である。いくつかの実施例において、第２の動作モードはフルトーンフォーマットＤＣＣＨ動作モードを指し、第１の動作モードはスプリットトーンフォーマットＤＣＣＨ動作モードを指す。
【０１５２】
第１の形式の割当メッセージ処理モジュール１５２８は無線端末識別子および対応マスク識別子の値を含む第１の形式の割当メッセージを処理する。そのようないくつかの実施例において、マスク識別子の値は情報ビットの第１の数より小さい情報ビットの第２の数によって表される。第１の形式の割当メッセージモジュール１５２８は受信された第１の形式の割当メッセージから受信された割当がＷＴ１５００に向けられているか否かを識別する。
【０１５３】
第１の形式の割当メッセージ処理モジュール１５２８は第１の動作モードの処理モジュール１５３０および第２の動作モードの処理モジュール１５３２を含む。前記無線端末が第１の動作モードにある時第１の形式の割当メッセージを処理する際に用いられる第１の動作モードの処理モジュール１５３０は、現在ＷＴ１５００に関係づけられている受信された基地局割当無線端末識別子の値が考慮対象の割当内に含まれる無線端末識別子と合致しているかどうかを、処理される第１の形式の割当メッセージから決定し、および割当の受信マスク識別子の値が現在ＷＴ１５００に関係づけられている受信マスク値を識別するかどうかを決定する。代表的１実施例において、第１の動作モードの処理モジュールを用いる際、現在ＷＴ１５００に関係づけられている、例えば受信制御メッセージのマスク値１５５２に対応する受信マスクは００１、０１０、および１００の１つである。
【０１５４】
ＷＴ１５００が第２の動作モードにある時第１の形式の割当メッセージを処理する際に用いられる第２の動作モードの処理モジュール１５３２は、現在その無線端末に対応している受信された基地局割当無線端末識別子の値が、受信割当メッセージ内の無線端末識別子と合致しているかどうかを決定する。考慮対象の割当が現在ＷＴ１５００に関係づけられているか否かに関するモジュール１５３２によるその決定は、現在ＷＴ１５００に関係づけられているマスク識別子の値、例えばメッセージ１５４８から求めたマスク値、を用いることを要しない。代表的１実施例において、第２の動作モードの処理モジュール１５３２を用いる際、現在ＷＴ１５００に関係づけられている、例えば受信制御メッセージのマスク値１５５２に対応する受信マスクは、例えば任意のトラヒックチャネルセグメントがＷＴ１５００に割り付けられるかもしれないことを示す１１１である。
【０１５５】
第２の形式の割当処理モジュール１５３４は無線端末識別子を含むがマスク識別子の値を含まない第２の形式の割当メッセージを処理し、次にモジュール１５３４は第２の形式の割当メッセージがＷＴ１５００に向けられているか否かを識別する。
【０１５６】
アップリンクトラヒックチャネルセグメントモジュール１５３６はアップリンクトラヒックチャネルセグメント信号の生成を制御し、アップリンクトラヒックチャネルセグメント信号の送信を制御することに応答する。モジュール１５３６は反復トラヒックチャネル構造のアップリンクトラヒックチャネルセグメントになる識別されたトラヒックチャネルセグメント１５７０、１５７４に応答する。ダウンリンクトラヒックチャネルセグメントモジュール１５３８はダウンリンクトラヒックチャネルセグメント信号の受信を制御し、ダウンリンクトラヒックチャネルセグメント信号の復元を制御することに応答する。モジュール１５３８は反復トラヒックチャネル構造のダウンリンクトラヒックチャネルセグメントになる識別されたトラヒックチャネルセグメント１５７０、１５７４に応答する。
【０１５７】
データ／情報１５２０は格納されたトラヒックチャネル構造情報１５４０および格納された割当／トラヒックチャネルセグメントマッピング情報１５４６を含む。格納されたトラヒックチャネル構造情報１５４０はセグメント１／マスク関連づけ情報１５４２、・・・、セグメントＭ／マスク関連づけ情報１５４４を含む。情報１５４０はＢＳ１４００における情報１４３８に対応し、情報１５４６は基地局１４００の情報１４４０に対応する。例えば、１実施例において図７および図８からのいくつかの情報は情報１５４０および情報１５４６の部分である。
【０１５８】
データ／情報１５２０は、基地局割当無線端末識別子１５５０およびマスク値１５５２を含む受信制御メッセージ情報１５４８、動作モード情報１５５４、基地局接続点識別情報１５５６、複数の受信された第１の形式の割当メッセージ情報（受信された第１の形式の割当メッセージ、メッセージ１の情報１５５８、・・・、受信された第１の形式の割当メッセージ、メッセージｍの情報１５６２）、複数の第２の形式の割当メッセージ情報（受信された第２の形式の割当メッセージ、メッセージ１の情報１５６４、・・・、受信された第２の形式の割当メッセージ、メッセージｎの情報１５６８）、ＷＴ１５００に向けられる予定の識別されたトラヒックチャネルセグメントに関係する情報（ＷＴに割当られた識別されたトラヒックチャネルセグメント１  １５７０、・・・、ＷＴに割当られた識別されたトラヒックチャネルセグメントＸ  １５７４）をも含む。
【０１５９】
いくつかの実施例において、受信制御メッセージ情報１５４８は状態遷移メッセージを介して伝達される。ＷＴ１５００に向けられる予定の情報１５４８は次の割当通知信号処理動作の間の使用のために保持される。動作モード１５５４はＷＴ１５００の現在の状態を識別する情報、例えばオフ、スリープ、ホールド、オン状態の第１のモード、オン状態の第２のモードを含む。いくつかの実施例において、オン状態の第１のモードはスプリットトーンフォーマットＤＣＣＨ動作モードを指し、オン状態の第２のモードはフルトーンフォーマットＤＣＣＨ動作モードを指す。基地局接続点識別情報１５５６は、例えばシステム内の複数の基地局接続点の中からＷＴ１５００によって用いられている現在の基地局接続点を識別する情報を含む。基地局接続点識別情報１５５６は例えば基地局ＩＤ、セクタＩＤ、セクタ形式識別、搬送波識別、および／またはトーンブロック情報、を含む。
【０１６０】
受信された第１の形式の割当メッセージ、メッセージ１の情報１５５８はモジュール１５２８によって処理され評価される受信された第１の形式のメッセージに対応する。情報１５５８は、第１の割当スロットに対して、無線端末識別子１５６０および例えば１ビットの対応マスク識別子の値１５６２を含む。いくつかのメッセージに対する情報１５５８は複数の割当、例えば第２の割当情報（ＷＴ識別子１５６４および対応マスク識別子の値１５６６）、および／または第３の割当情報（ＷＴ識別子１５５８および対応マスク識別子の値１５６０）を含む。
【０１６１】
無線端末識別子１５６６を含む受信された第２の形式の割当メッセージ、メッセージ１の情報１５６４はモジュール１５３４によって処理される。
【０１６２】
データ／情報１５２０はＷＴ１５００に割当られた識別されたセグメントによって搬送されたデータ／情報（識別されたトラヒックチャネルセグメント１によって搬送されたデータ／情報１５７２、・・・、識別されたトラヒックチャネルセグメントＸによって搬送されたデータ／情報１５７６）をも含む。識別されるセグメント（１５７０、１５７４）はモジュール１５２８によって第１の形式の割当メッセージ、またはモジュール１５３４によって第２の形式の割当メッセージのいずれかから識別されるかもしれないし、また例えば割当メッセージ内の割当スロットと反復構造内のトラヒックチャネルセグメントとの間の予め定められたマッピングに従って、アップリンクトラヒックチャネルセグメントまたはダウンリンクトラヒックチャネルセグメントのいずれかに対応するかもしれない。
【０１６３】
いくつかの実施例において、第１および第２の形式の割当メッセージはトラヒックチャネル割当メッセージである。代表的１実施例において、第１の形式の割当メッセージは標準割当メッセージを指し、第２の形式の割当メッセージはフラッシュ割当を指す。いくつかの実施例において、第１の形式の割当メッセージは複数のセグメント、例えば最大３個の異なるトラヒックチャネルセグメントに対する割当を搬送することができ、トラヒックチャネルセグメントの各々は異なる無線端末に向けられるかもしれないし、時には向けられる。いくつかの実施例において、第２の形式の割当は単一トラヒックチャネルセグメントに対する割当を搬送する。
【０１６４】
図１６、図１７、および図１８に、種々の実施例に従う代表的状態遷移通知信号、トラヒックチャネル割当通知信号、および反復チャネル構造を示す。図１６、１７、および１８は種々の実施例で用いられる特徴を示すための単純化した構造を示す。図１６は代表的基地局１６０２と複数の無線端末（ＷＴ  Ａ１６０４、ＷＴ  Ｂ１６０６、ＷＴ  Ｃ１６０８、ＷＴ  Ｄ１６１０、およびＷＴ  Ｅ１６１６）との間の代表的状態遷移メッセージ通知信号を示す図面１６００である。基地局１６０２は図１のシステム１００の任意の基地局であるかもしれない。ＷＴ（１６０４、１６０６、１６０８、１６１０、１６１２）は図１のシステム１００の任意のＷＴであるかもしれない。基地局１６０２は５ビットのＷＴオン識別子フィールド＝１０００１  １６１６およびｗｔＯＮＭａｓｋフィールド＝００  １６１８を含む状態遷移メッセージ１６１４をＷＴ  Ａ１６０４へ送信する。ＷＴ  Ａ１６０４はメッセージ１６１４を受信し、それがＷＴオンＩＤ＝１０００１、ＷＴオンマスク＝００１を割当られたこと、および第１のオン動作モード、例えばスプリットトーンフォーマットＤＣＣＨモード、で動作することになることを決定する。基地局１６０２は５ビットのＷＴオン識別子フィールド＝１０００１  １６２２およびｗｔＯＮＭａｓｋフィールド＝０１  １６２４を含む状態遷移メッセージ１６２０をＷＴ  Ｂ１６０６へ送信する。ＷＴ  Ｂ１６０６はメッセージ１６２０を受信し、それがＷＴオンＩＤ＝１０００１、ＷＴオンマスク＝０１０を割当られたこと、および第１のオン動作モード、例えばスプリットトーンフォーマットＤＣＣＨモード、で動作することになることを決定する。基地局１６０２は５ビットのＷＴオン識別子フィールド＝１０００１  １６２８およびｗｔＯＮＭａｓｋフィールド＝１０  １６３０を含む状態遷移メッセージ１６２６をＷＴ  Ｃ１６０８へ送信する。ＷＴ  Ｃ１６０８はメッセージ１６２６を受信し、それがＷＴオンＩＤ＝１０００１、ＷＴオンマスク＝１００を割当られたこと、および第１のオン動作モード、例えばスプリットトーンフォーマットＤＣＣＨモード、で動作することになることを決定する。基地局１６０２は５ビットのＷＴオン識別子フィールド＝１００１０  １６３４およびｗｔＯＮＭａｓｋフィールド＝１１  １６３６を含む状態遷移メッセージ１６３２をＷＴ  Ｄ１６１０へ送信する。ＷＴ  Ｄ１６１０はメッセージ１６３２を受信し、それがＷＴオンＩＤ＝１００１０、ＷＴオンマスク＝１１１を割当られたこと、および第２のオン動作モード、例えばフルトーンフォーマットＤＣＣＨモード、で動作することになることを決定する。基地局１６０２は５ビットのＷＴオン識別子フィールド＝１１０００  １６４０およびｗｔＯＮＭａｓｋフィールド＝００  １６４２を含む状態遷移メッセージ１６３８をＷＴ  Ｅ１６１２へ送信する。ＷＴ  Ｅ１６１２はメッセージ１６３８を受信し、それがＷＴオンＩＤ＝１１０００、ＷＴオンマスク＝００１を割当られたこと、および第１のオン動作モード、例えばスプリットトーンフォーマットＤＣＣＨモード、で動作することになることを決定する。
【０１６５】
図１７は図１６の基地局１６０２および無線端末（１６０４、１６０６、１６０８、１６１０、１６１２）で使用されるかもしれない代表的反復チャネル構造を示す図面１７００である。縦軸１７０２は論理チャネル構造内の周波数を表し、一方横軸１７０４は時間を表す。チャネル構造に関係する情報は基地局および無線端末によって格納され使用される。この代表的チャネル構造において、各インデックス付きトラヒックチャネルセグメントは予め定められた関係によって割当メッセージ内の割当スロットに対応し、また２つの形式の割当メッセージがある。第１の形式の割当メッセージ、例えば標準割当メッセージ、は２つの割当のためのスロットを有し、一方第２の形式の割当メッセージ、例えばフラッシュ形式割当メッセージ、は単一トラヒックチャネルセグメントに対する割当を搬送する。いくつかの実施例において、第２の形式の割当は第１の形式の割当より高い電力レベルで送信される。
【０１６６】
この代表的な実施例は１０個のインデックス付きトラヒックチャネルセグメント（トラヒックチャネルセグメント０  １７１８、トラヒックチャネルセグメント１  １７２０、トラヒックチャネルセグメント２  １７２２、トラヒックチャネルセグメント３  １７２４、トラヒックチャネルセグメント４  １７２６、トラヒックチャネルセグメント５  １７２８、トラヒックチャネルセグメント６  １７３０、トラヒックチャネルセグメント７  １７３２、トラヒックチャネルセグメント８  １７３４、トラヒックチャネルセグメント９  １７３６）、４つの形式１の割当メッセージ（形式１の割当メッセージ１  １７０８、形式１の割当メッセージ２  １７１０、形式１の割当メッセージ３  １７１４、形式１の割当メッセージ４  １７１６）、および２つの形式２の割当メッセージ（形式２の割当メッセージ１  １７０６、形式２の割当メッセージ２  １７１２）を含む。
【０１６７】
形式２の割当メッセージ１  １７０６はトラヒックチャネルセグメント０  １７１８に対する割当を搬送する。トラヒックチャネルセグメント０は第２の動作モードにある無線端末または第１の動作モードにある無線端末に、ＷＴオンマスク＝００１と共に割当られ得る。
【０１６８】
形式１の割当メッセージ１  １７０８はトラヒックチャネルセグメント１  １７２０に対する割当およびトラヒックチャネルセグメント２  １７２２に対する割当を搬送する。トラヒックチャネルセグメント１  １７２０は第２の動作モードにある無線端末または第１の動作モードにある無線端末にＷＴオンマスク＝００１または０１０と共に割当られ得る。トラヒックチャネルセグメント２  １７２２は第２の動作モードにある無線端末または第１の動作モードにある無線端末にＷＴオンマスク＝００１または１００と共に割当られ得る。
【０１６９】
形式１の割当メッセージ２  １７１０はトラヒックチャネルセグメント３  １７２４に対する割当およびトラヒックチャネルセグメント４  １７２６に対する割当を搬送する。トラヒックチャネルセグメント３  １７２４は第２の動作モードにある無線端末または第１の動作モードにある無線端末にＷＴオンマスク＝０１０または１００と共に割当られ得る。トラヒックチャネルセグメント４  １７２６は第２の動作モードにある無線端末または第１の動作モードにある無線端末にＷＴオンマスク＝０１０または００１と共に割当られ得る。
【０１７０】
形式２の割当メッセージ２  １７１２はトラヒックチャネルセグメント５  １７２８に対する割当を搬送する。トラヒックチャネルセグメント５は第２の動作モードにある無線端末または第１の動作モードにある無線端末にＷＴオンマスク＝０１０と共に割当られ得る。
【０１７１】
形式１の割当メッセージ３  １７１４はトラヒックチャネルセグメント６  １７３０に対する割当およびトラヒックチャネルセグメント７  １７３２に対する割当を搬送する。トラヒックチャネルセグメント６  １７３０は第２の動作モードにある無線端末または第１の動作モードにある無線端末にＷＴオンマスク＝００１または０１０と共に割当られ得る。トラヒックチャネルセグメント７  １７３２は第２の動作モードにある無線端末または第１の動作モードにある無線端末にＷＴオンマスク＝１００または０１０と共に割当られ得る。
【０１７２】
形式１の割当メッセージ４  １７１６はトラヒックチャネルセグメント８  １７３４に対する割当およびトラヒックチャネルセグメント９  １７３６に対する割当を搬送する。トラヒックチャネルセグメント８  １７３４は第２の動作モードにある無線端末または第１の動作モードにある無線端末にＷＴオンマスク＝００１または０１０と共に割当られ得る。トラヒックチャネルセグメント９  １７３６は第２の動作モードにある無線端末または第１の動作モードにある無線端末にＷＴオンマスク＝００１または１００と共に割当られ得る。
【０１７３】
図１８は図１７の代表的トラヒックチャネルセグメントの各々に対する代表的割当を示す図面１８００である。図１８に、図１６の状態遷移メッセージ通知信号と図１７の構造とによって確立された構成を考慮した代表的割当メッセージで搬送された情報を示す。割当は基地局で決定され、無線端末に伝達される。無線端末は割当信号を受信し、処理し、次に特定の割当がそれ自身に向けられているか否かを決定する。
【０１７４】
基地局１６０２は、ブロック１８１８に示すように、トラヒックチャネルセグメント０をＷＴ  Ａ１６０４へ割当ることを決定済であり、ブロック１８０６に示すように、対応する割当メッセージ内に５ビットのＷＴ識別子＝１０００１を含む。基地局１６０２は、ブロック１８２０に示すように、トラヒックチャネルセグメント１をＷＴ  Ｂ１６０６へ割当ることを決定済であり、ブロック１８０８に示すように、対応する割当メッセージ内に５ビットのＷＴ識別子＝１０００１および１ビットのＷＴマスク識別子＝１を含む。基地局１６０２は、ブロック１８２２に示すように、トラヒックチャネルセグメント２をＷＴ  Ｄ１６１０へ割当ることを決定済であり、ブロック１８０８に示すように、対応する割当メッセージ内に５ビットのＷＴ識別子＝１００１０およびＷＴマスク識別子フィールド内の０または１のいずれかであるドントケア条件を有する１ビットのＷＴマスク識別子フィールド＝１を含む。
【０１７５】
基地局１６０２は、ブロック１８２４に示すように、トラヒックチャネルセグメント３をＷＴ  Ｃ１６０８へ割当ることを決定済であり、ブロック１８１０に示すように、対応する割当メッセージ内に５ビットのＷＴ識別子＝１０００１および１ビットのＷＴマスク識別子＝１を含む。基地局１６０２は、ブロック１８２６に示すように、トラヒックチャネルセグメント４をＷＴ  Ｄ１６１０へ割当ることを決定済であり、ブロック１８１０で示すように、対応する割当メッセージ内に５ビットのＷＴ識別子＝１００１０およびドントケア条件を有する１ビットのＷＴマスク識別子フィールドを含む。
【０１７６】
基地局１６０２は、ブロック１８２８に示すように、トラヒックチャネルセグメント５をＷＴ  Ｄ１６１０へ割当ることを決定済であり、ブロック１８２８に示すように、対応する割当メッセージ内に５ビットのＷＴ識別子＝１００１０を含む。基地局１６０２は、ブロック１８３０に示すように、トラヒックチャネルセグメント６をＷＴ  Ｂ１６０６へ割当ることを決定済であり、ブロック１８１４に示すように、対応する割当メッセージ内に５ビットのＷＴ識別子＝１０００１および１ビットのＷＴマスク識別子＝１を含む。基地局１６０２は、ブロック１８３２に示すように、トラヒックチャネルセグメント７をＷＴ  Ｃ１６０８へ割当ることを決定済であり、ブロック１８１４に示すように、対応する割当メッセージ内に５ビットのＷＴ識別子＝１０００１および１ビットのＷＴマスク識別子＝０を含む。
【０１７７】
基地局１６０２は、ブロック１８３４に示すように、トラヒックチャネルセグメント８をＷＴ  Ａ１６０４へ割当ることを決定済であり、ブロック１８１６に示すように、対応する割当メッセージ内に５ビットのＷＴ識別子＝１０００１および１ビットのＷＴマスク識別子＝０を含む。基地局１６０２は、ブロック１８３６に示すように、トラヒックチャネルセグメント９をＷＴ  Ｅ１６１２へ割当ることを決定済であり、ブロック１８１６に示すように、対応する割当メッセージ内に５ビットのＷＴ識別子＝１１０００および１ビットのＷＴマスク識別子＝０を含む。
【０１７８】
この代表的な実施例において、割当セグメントはチャネル構造に従ってトラヒックチャネルセグメントへの予め定められたマッピングを有しており、したがって、種々の実施例において割当メッセージは必要ではなく、また種々の実施例において割当が対応するセグメントのインデックスを識別するフィールドを含まないことに留意のこと。無線端末は割当の位置、例えば周波数、反復タイミング構造における時間、および／または割当スロットの位置により、割当が対応する特定のトラヒックチャネルセグメントを決定することができる。
【０１７９】
種々の実施例の技術はソフトウェア、ハードウェアおよび／またはソフトウェアとハードウェアの組合せを用いて実施されるかもしれない。種々の実施例は装置、例えば、移動体端末、基地局、通信システムのような移動ノードに関するものである。種々の実施例は方法、例えば、移動ノード、基地局、および／または通信システム、例えばホストを制御し、および／または動作させる方法に関するものでもある。また、種々の実施例は機械可読媒体、例えばＲＯＭ、ＲＡＭ、ＣＤ、ハードディスク等、方法の１つ以上のステップを実施するために機械を制御するための機械可読命令を含む媒体に関するものでもある。
【０１８０】
種々の実施例において、ここに説明したノードは１つ以上の方法に対応するステップ、例えば信号処理、メッセージ生成および／または送信のステップを実行するための１つ以上のモジュールを用いて実施される。従って、いくつかの実施例において、種々の特徴は複数のモジュールを用いて実施される。そのようなモジュールはソフトウェア、ハードウェアまたはソフトウェアとハードウェアの組合せを用いて実施されるかもしれない。多くの上述した方法、または方法のステップは、例えば１つ以上のノードにおいて上述の方法のすべてまたは部分を実施するために、メモリーデバイス、例えばＲＡＭ、フロッピー（登録商標）ディスク等のような機械可読媒体に含まれるソフトウェアのような、付加的ハードウェアを備えたまたは備えていない汎用計算機のような機械を制御するための機械実行可能な命令を用いて実施されうる。従って、特に、種々の実施例は機械、例えばプロセッサおよび関連ハードウェアに上述した（複数の）方法の１つ以上のステップを実行させるための機械実行可能な命令を含む機械可読媒体に関するものである。
【０１８１】
ＯＦＤＭシステムの文脈で説明したが、少なくともいくつかの方法および装置は多くの非ＯＦＤＭおよび／または非セルラシステムを含む広範囲の通信システムに適用可能である。
【０１８２】
上で説明した方法および装置に関する多くの付加的変更は上記の説明に鑑みて当業者には明白であろう。そのような変更は範囲内であると考えられるべきである。方法および装置はＣＤＭＡ、直交周波数分割多重（ＯＦＤＭ）、および／またはアクセスノードと移動ノードとの間に無線通信リンクを提供するために用いられるかもしれない他の種々の形式の通信技術と共に用いられるかもしれないし、種々の実施例においては用いられる。いくつかの実施例において、アクセスノードはＯＦＤＭ、および／またはＣＤＭＡを用いて移動ノードとの通信リンクを確立する基地局として実施される。種々の実施例において、移動ノードは上述の方法を実施するための受信機／送信機回路および論理回路および／またはルーチンを含むノートパソコン、個人用データ端末（ＰＤＡ）、または他の携帯デバイスとして実施される。  
【図１】
2009544255.tif 000003
【図２】
2009544255.tif 000004
【図３】
2009544255.tif 000005
【図４】
2009544255.tif 000006
【図５】
2009544255.tif 000007
【図６】
2009544255.tif 000008
【図６Ａ】
2009544255.tif 000009
【図６Ｂ】
2009544255.tif 000010
【図６Ｃ】
2009544255.tif 000011
【図７】
2009544255.tif 000012
【図８】
2009544255.tif 000013
【図８Ａ】
2009544255.tif 000014
【図８Ｂ】
2009544255.tif 000015
【図８Ｃ】
2009544255.tif 000016
【図９】
2009544255.tif 000017
【図１０】
2009544255.tif 000018
【図１１】
2009544255.tif 000019
【図１１Ａ】
2009544255.tif 000020
【図１１Ｂ】
2009544255.tif 000021
【図１１Ｃ】
2009544255.tif 000022
【図１２】
2009544255.tif 000023
【図１３】
2009544255.tif 000024
【図１４】
2009544255.tif 000025
【図１５】
2009544255.tif 000026
【図１６】
2009544255.tif 000027
【図１７】
2009544255.tif 000028
【図１８】
2009544255.tif 000029
【国際調査報告】
2009544255.tif 000030
2009544255.tif 000031